(57)【要約】【課題】コントラストを向上させたディスプレイを有する表示装置を提供する。また、ユーザーの視認性を向上させたディスプレイを有する表示装置を提供する。【解決手段】表示情報を表示する第１の表示部と、光透過特性の調整が可能な第２の表示部とを備えるディスプレイを表示装置に適用する。第１の表示部に含まれる表示素子は透光性を有する。第２の表示部に含まれる光制御層の光透過特性を、該光制御層を駆動させる電極に印加する電圧の大きさに依存させて調整する。駆動電極の形状及びサイズをユーザーの意図に合わせて変化させ、選択可能にする事で、ディスプレイの光透過特性を任意の位置において調整することができる。【選択図】図１
2016191948.tif 000002
【特許請求の範囲】
【請求項１】
発光層を挟持する透明な第１の電極及び透明な第２の電極を含む第１の表示部と、
光制御層を挟持する透明な第３の電極及び透明な第４の電極を含む第２の表示部と、
ＭＥＭＳシャッターと、
表示情報識別部と、
アドレス信号生成部と、
調光パターン生成部と、を有し、
前記第１の表示部と前記第２の表示部は重畳し、
前記ＭＥＭＳシャッターは、前記第１の表示部と前記第２の表示部との間に設けられ、
前記第２の電極と前記第３の電極との間には透明な基板が配置され、
前記第１の表示部は、表示情報を表示し、
前記表示情報識別部は、前記第１の表示部に表示されている前記表示情報の位置を識別し、
前記アドレス信号生成部は、前記表示情報の位置に合わせて、前記第２の表示部における調光部のアドレス信号を生成し、
前記調光パターン生成部は、前記アドレス信号から取得したアドレスに存在する前記第３の電極及び前記第４の電極に、印加する電圧の大きさを決定して調光パターンを生成し、
前記調光部は、前記調光パターンに一致させて、前記第１の表示部を透過する光を調整することで、前記第１の電極側と、前記第４の電極側とで、前記表示情報を変化させ、
前記ＭＥＭＳシャッターを閉じることで、前記第１の表示部を透過した光を遮光し、
前記ＭＥＭＳシャッターを開けることで、前記第１の表示部を透過した光を透過することを特徴とする表示装置。
【発明の詳細な説明】
【技術分野】
【０００１】
本発明は、光透過特性の調整が可能なディスプレイを備える表示装置及び表示装置の駆動
方法に関する。
【背景技術】
【０００２】
住宅や車の窓に付加的機能を搭載する技術の普及に伴って、スマートガラスの需要が高ま
っている。スマートガラスとは一般的に、電圧の印加、非印加により電気的に透明度を切
り替えられるガラス製品を指す。日射のコントロール、又はプライバシーの保護を目的と
して、建材の窓等、様々な用途で利用されている。
【０００３】
また、ディスプレイ自体が一定程度の透明度を持ち、後方が透けて見える透明ディスプレ
イの市場規模が拡大している。透明ディスプレイは商店街のショーウィンドー等に利用す
ることができ、情報伝達などにも活用可能な未来のディスプレイとして注目されている。
透明ディスプレイ特有のデザイン性及び性能面での特性を活かし、より柔軟に利用幅を広
げられるものと期待されている。特許文献１では、窓の一部をテレビジョン装置として利
用することで、スペースを有効活用し、且つ快適性、居住性を高めている。
【０００４】
調光素子として、エレクトロクロミック素子、ＳＰＤ素子、ＰＤＬＣ素子等を用いた製品
が既に実用化され、ガラス、鏡、大画面ディスプレイ、電子ペーパーなどに、応用されて
いる。これらの素子は、電圧により状態が変化し、且つ該変化が可逆的であるという共通
の特徴を有する。エレクトロクロミック素子は、着色の濃淡の調整、多色発色等に向けて
、またＰＤＬＣ素子は白濁、透明間の無段階制御による種々の色調の再現に向けて開発が
進められている。
【０００５】
特許文献２では、透明ＥＬ素子を用いたディスプレイと、液晶素子を用いたディスプレイ
とを積層し、輝度の閾値を利用して表示画像から低輝度の画素を抽出し、抽出画素部に対
応させて、液晶素子を用いたディスプレイの不透明部を制御している。
【先行技術文献】
【特許文献】
【０００６】
【特許文献１】特開１９９８−０２５９７５号公報
【特許文献２】特開平１０−０２５９７５号公報
【発明の概要】
【発明が解決しようとする課題】
【０００７】
透明ディスプレイにおいて、ディスプレイ前方に存在するユーザーは、ディスプレイに表
示される表示情報、及びディスプレイ後方の背景や背景光を、同時に認識する。（図１０
参照。）従って、該ユーザーにとって、不要又は意図せぬ背景を認識せざるを得ない、目
的とする表示情報を認識しにくい、外光が眩しい等という問題が生じる。
【０００８】
また、透明ディスプレイの前方及び後方にユーザーが存在する場合、後方に存在するユー
ザーは、前方に存在するユーザーが認識する表示情報の反転された該表示情報を認識する
。ディスプレイの前方又は後方に存在するユーザーの意図に従って、表示情報の開示及び
非開示を、選択することができない。従って、情報の秘密保持、適切な情報伝達等に関し
て問題が残る。
【０００９】
特許文献２に記載されているディスプレイは、透明度を一度しか切り換えることができず
、更に閾値境界の画素抽出は、曖昧になり、ユーザーの意図と一致させることは困難であ
る。
【００１０】
上記問題を鑑み、本発明の一態様では、コントラストを向上させた透明ディスプレイを有
する表示装置を提供することを課題の一つとする。
【００１１】
また、本発明の一態様では、ユーザーの視認性を向上させた透明ディスプレイを有する表
示装置を提供することを課題の一つとする。
【課題を解決するための手段】
【００１２】
ディスプレイに備えられた光制御層の光透過特性を、選択的に調整することで、表示装置
のコントラスト向上を図る。
【００１３】
本明細書で開示する本発明の一態様は、発光層を挟持する透明な第１の電極及び透明な第
２の電極を含む第１の表示部と、ＳＰＤ層を挟持する透明な第３の電極及び透明な第４の
電極を含む第２の表示部と、を有し、第１の表示部と第２の表示部は重畳し、第２の電極
と第３の電極との間には透明な絶縁層が配置され、第１の表示部は、表示情報を表示し、
第２の表示部は、第１の表示部を透過する光を、第１の表示部に表示される表示情報に合
わせて、部分的に調整することで、第１の電極側と、第４の電極側とで、表示情報を変化
させることを特徴とする表示装置である。
【００１４】
上記において、ＳＰＤ層は、媒体樹脂と、媒体樹脂内に分散された複数の液滴と、液滴内
に分散された複数の偏光性粒子と、を有し、偏光性粒子の配向によって、ＳＰＤ層を透過
する光を調整することができる。
【００１５】
また、本明細書で開示する本発明の一態様は、発光層を挟持する透明な第１の電極及び透
明な第２の電極を含む第１の表示部と、ＰＤＬＣ層を挟持する透明な第３の電極及び透明
な第４の電極を含む第２の表示部と、を有し、第１の表示部と第２の表示部は重畳し、第
２の電極と第３の電極との間には透明な絶縁層が配置され、第１の表示部は、表示情報を
表示し、第２の表示部は、第１の表示部を透過する光を、第１の表示部に表示される表示
情報に合わせて、部分的に調整することで、第１の電極側と、第４の電極側とで、表示情
報を変化させることを特徴とする表示装置である。
【００１６】
上記において、ＰＤＬＣ層は、高分子分散型液晶と、高分子分散型液晶内に分散された複
数の液晶分子と、を有し、液晶分子の配向によって、ＰＤＬＣ層を透過する光を調整する
ことができる。
【００１７】
また、本明細書で開示する本発明の一態様は、発光層を挟持する透明な第１の電極及び透
明な第２の電極を含む第１の表示部と、エレクトロクロミック層を挟持する透明な第３の
電極及び透明な第４の電極を含む第２の表示部と、を有し、第１の表示部と第２の表示部
は重畳し、第２の電極と第３の電極との間には透明な絶縁層が配置され、第１の表示部は
、表示情報を表示し、第２の表示部は、第１の表示部を透過する光を、第１の表示部に表
示される表示情報に合わせて、部分的に調整することで、第１の電極側と、第４の電極側
とで、表示情報を変化させることを特徴とする表示装置である。
【００１８】
上記において、エレクトロクロミック層は、イオン蓄積層から注入される陽イオンとイオ
ン伝導体層から注入される陰イオンによって、エレクトロクロミック層を透過する光を調
整することができる。
【００１９】
また、本明細書で開示する本発明の一態様は、発光層を挟持する透明な第１の電極及び透
明な第２の電極を含む第１の表示部と、エレクトロウェッティング層を挟持する透明な第
３の電極及び透明な第４の電極を含む第２の表示部と、を有し、第１の表示部と第２の表
示部は重畳し、第２の電極と第３の電極との間には透明な絶縁層が配置され、第１の表示
部は、表示情報を表示し、第２の表示部は、第１の表示部を透過する光を、第１の表示部
に表示される表示情報に合わせて、部分的に調整することで、第１の電極側と、第４の電
極側とで、表示情報を変化させることを特徴とする表示装置である。
【００２０】
上記において、エレクトロウェッティング層は、疎水性表面を有する絶縁層と、カラー油
膜と、透明極性流体層と、を有し、カラー油膜の広がりによって、エレクトロウェッティ
ング層を透過する光を調整することができる。
【００２１】
また、本明細書で開示する本発明の一態様は、発光層を挟持する透明な第１の電極及び透
明な第２の電極を含む第１の表示部と、光制御層を挟持する透明な第３の電極及び透明な
第４の電極を含む第２の表示部と、を有し、表示情報識別部と、アドレス信号生成部と、
調光パターン生成部と、を有し、第１の表示部と第２の表示部は重畳し、第２の電極と第
３の電極との間には透明な基板が配置され、第１の表示部は、表示情報を表示し、表示情
報識別部は、第１の表示部に表示されている表示情報の位置を識別し、アドレス信号生成
部は、表示情報の位置に合わせて、第２の表示部における調光部のアドレス信号を生成し
、調光パターン生成部は、アドレス信号から取得したアドレスに存在する第３の電極及び
第４の電極に、印加する電圧の大きさを決定して調光パターンを生成し、調光部は、調光
パターンに一致させて、１の表示部を透過する光を調整することで、第１の電極側と、第
４の電極側とで、表示情報を変化させることを特徴とする表示装置である。
【００２２】
上記において、調光部は、不透明であってもよい。
【００２３】
上記において、調光部は、半透明であってもよい。
【００２４】
上記において、調光部は、第１の表示部の透過光を反射してもよい。
【００２５】
上記において、調光部は、第１の表示部の透過光を吸収してもよい。
【００２６】
上記において、調光部は、第１の表示部の透過光の一部を反射してもよい。
【００２７】
上記において、第１の表示部の透過光は画素単位で調整されることが好ましい。
【００２８】
上記において、第１の表示部と第２の表示部との間には、マイクロシャッターが設けられ
ていてもよい。
【００２９】
また、本明細書で開示する本発明の一態様は、スクリーンと、外部光源と、を含む第１の
表示部と、光制御層を挟持する透明な第１の電極及び透明な第２の電極を含む第２の表示
部と、を有し、第１の表示部と第２の表示部は重畳し、第１の表示部は、表示情報を表示
し、第２の表示部は、第１の表示部を透過する光を、第１の表示部に表示される表示情報
に合わせて、部分的に調整することで、第１の表示部側と、第２の表示部側とで、表示情
報を変化させることを特徴とする表示装置である。
【００３０】
上記において、光制御層は、ＳＰＤ層、ＰＤＬＣ層、エレクトロクロミック層、エレクト
ロウェッティング層のいずれか一つであってもよい。
【００３１】
また、本明細書で開示する本発明の一態様は、透過型の第１の表示パネルの背面に透過型
の第２の表示パネルを重ねて設けたディスプレイにおいて、ディスプレイの正面と背面で
、異なる情報を表示する情報表示方法であって、２次元マトリクス状に配列された自発光
素子を有する第１の表示パネルと、少なくとも自発光素子と重なる光制御素子を有する第
２の表示パネルを用いて、自発光素子の一部の素子を発光させることで、表示情報を表示
させ、表示情報の表示と連動して、光制御素子の光透過率を、表示情報を含む部分では、
他の部分と比較して低下させることを特徴とする情報表示方法である。
【００３２】
また、本明細書で開示する本発明の一態様は、透過型の第１の表示パネルの背面に透過型
の第２の表示パネルを重ねて設けたディスプレイにおいて、ディスプレイの正面と背面で
、異なる情報を表示する情報表示方法であって、２次元マトリクス状に配列された自発光
素子を有する第１の表示パネルと、少なくとも自発光素子と重なる光制御素子を有する第
２の表示パネルを用いて、自発光素子の一部の素子を発光させることで、表示情報を表示
させ、表示情報の表示と連動して、光制御素子の光透過率を、表示情報の一部を含む部分
では、他の部分と比較して低下させることを特徴とする情報表示方法である。
【００３３】
なお、本明細書において、「コントラスト」とは、ユーザーにとって、ディスプレイに表
示されている表示情報（画像や文字等）の認識のし易さを表すものとする。
【００３４】
また、本明細書において「光透過特性」とは、ディスプレイの光透過率、ヘイズ、光反射
率、透明度等を全て含めて定義するものとする。
【００３５】
光透過率とは、一方の面から入射した光が、他方の面からどれだけ透過するかを示す指標
である。ヘイズとは、全透過光における散乱光成分の割合を示す指標である。光透過率と
ヘイズは、ほぼ反比例の関係にあると考えて良いが、必ずしも完全に対応するものではな
い。
【００３６】
なお、完全遮光は、光を１００％吸収する（黒く見える）。鏡面反射は、光反射率１００
％である（白く見える）。また、一般に物質が光に対して「透明」であるとは、反射及び
吸収が無く、且つ散乱が無い状態を意味するが、本明細書において「透明」とは必ずしも
該状態を意味するとは限らない。
【００３７】
本明細書において、「透明」とは、光透過率が７０％以上であって、１００％より小さい
。
【００３８】
本明細書において、「半透明」とは、光透過率３０％以上であって、７０％より小さい。
【００３９】
本明細書において、「不透明」とは、光透過率０％以上であって、３０％より小さい。
【００４０】
なお、第１の表示部の透過光とは、第１の表示部の一方の面から入射した光が、他方の面
から透過する光を表す。また、第２の表示部の透過光とは、第２の表示部の一方の面から
入射した光が、他方の面から透過する光を表す。また、ディスプレイの透過光とは、ディ
スプレイの一方の面から入射した光が、他方の面から透過する光を表す。
【００４１】
本明細書におけるディスプレイは、第１の表示部と第２の表示部が重畳するため、ディス
プレイの透明度は、第１の表示部と第２の表示部が重畳する場合で定義される。第１の表
示部の光透過率と、第２の表示部の光透過率は異なる場合もある。
【００４２】
また、本明細書において「光透過特性の調整」とは光透過特性を段階的に変化させること
ができる事を意味する。更に「光透過特性の調整」の中には「色調の調整」も含まれるも
のとする。
【００４３】
なお、光制御層の色と光透過特性との関係について、本明細書では特に言及しない。
【発明の効果】
【００４４】
開示する発明の一態様によれば、印加電圧の大きさに依存させて光透過特性の調整が可能
な透明ディスプレイを備えることで、表示装置のコントラストを向上させることができる
。また、光制御層を駆動させる電極形状及びサイズを変化させ、駆動電極を選択可能にす
ることで、透明ディスプレイの任意の位置において光透過特性を調整することができる。
従ってユーザーの視認性を向上させた表示状態を実現する表示装置の提供が可能になる。
【図面の簡単な説明】
【００４５】
【図１】開示する発明の一態様に係る表示装置を説明する図。
【図２】開示する発明の一態様に係る表示装置を説明する図。
【図３】開示する発明の一態様に係る表示装置を説明する図。
【図４】開示する発明の一態様に係る表示装置を説明するブロック図。
【図５】表示装置の動作モードを説明する図。
【図６】開示する発明の一態様に係る表示装置を説明する図。
【図７】開示する発明の一態様に係る表示装置を説明するブロック図。
【図８】開示する発明の一態様に係る表示装置を説明する図。
【図９】光制御層を説明する図。
【図１０】光制御層を説明する図。
【図１１】光制御層を説明する図。
【図１２】開示する発明の一態様に係る表示装置を説明するブロック図。
【図１３】開示する発明の一態様に係る表示装置の電極を説明する図。
【図１４】開示する発明の一態様に係る表示装置の電極を説明する図。
【図１５】開示する発明の一態様に係る表示装置の電極を説明する図。
【図１６】開示する発明の一態様に係る表示装置の変形例を説明する図。
【図１７】開示する発明の一態様に係る表示装置の変形例を説明する図。
【図１８】開示する発明の一態様に係る表示装置の応用例を説明する図。
【発明を実施するための形態】
【００４６】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００４７】
（実施の形態１）
本実施の形態では、電圧により光透過特性の調整が可能な透明ディスプレイを備えた表示
装置１００について図１乃至図６を用いて説明する。なお、本実施の形態に示す表示装置
１００は、ディスプレイ前方に存在するユーザーが認識するディスプレイ後方の背景及び
背景光を遮断して、該ユーザーの視認性を向上させたディスプレイを実現するために、光
透過特性を調整する。
【００４８】
図１を用いて表示装置１００の機能について説明する。図１（Ａ）及び図１（Ｂ）は、表
示装置１００の一例として、テレビジョン装置（テレビ、またはテレビジョン受信機とも
いう）を示している。
【００４９】
表示装置としては、テレビジョン装置に限定されず、例えば、携帯電話機（携帯電話、携
帯電話装置ともいう）、電子ペーパー、プロジェクタ、携帯情報端末（携帯型ゲーム機、
音響再生装置なども含む）、デジタルカメラ、デジタルビデオカメラ、パーソナルコンピ
ューター、カーナビゲーション装置、電子手帳、タッチパネルなど、各種表示装置を用い
ることができる。
【００５０】
表示装置１００が備えるディスプレイ１０１は、第１の表示部及び、第２の表示部等を含
む。表示部の具体的な構成、表示装置の具体的な構成については、後述の記載を参酌する
ことができる。（図３及び図４参照。）
【００５１】
図１を用いて、第２の表示部を部分的に遮光する例について説明する。図１（Ａ）は、第
１の表示部側から見た表示装置１００を示している。（本実施の形態におけるディスプレ
イ１０１前方とする。）図１（Ｂ）は、第２の表示部側から見た表示装置１００を示して
いる。（本実施の形態におけるディスプレイ１０１後方とする。）
【００５２】
図１における表示装置１００は、領域１０４と、領域１０５とで光透過特性が異なる。な
お、領域１０４と、領域１０５は、表示装置１００における第２の表示部における領域を
示すものとする。
【００５３】
また図１では、一例として、領域１０４が透明、領域１０５が遮光（薄い灰色）の場合を
示している。
【００５４】
また図１では、一例として、第２の表示部における領域１０５と重畳する第１の表示部で
表示情報”ＡＢＣ”（黒色）を表示し、第２の表示部における領域１０４と重畳する第１
の表示部で表示情報”○△×”（黒色）を表示している。
【００５５】
図１（Ａ）に示すように、ディスプレイ１０１前方に存在するユーザーは、第２の表示部
における領域１０４では、ディスプレイ１０１後方の背景及び背景光を認識するが、第２
の表示部における領域１０５では、ディスプレイ１０１後方の背景及び背景光を認識しな
い。従ってディスプレイ１０１前方に存在するユーザーにとって、領域１０５における背
景及び背景光が遮断されるため、ディスプレイ１０１に表示される表示情報を認識しやす
くなる。即ち、ディスプレイ１０１前方に存在するユーザーの視認性が向上する。
【００５６】
なお、図１（Ｂ）に示すように、ディスプレイ１０１後方に存在するユーザーは、領域１
０５と重畳する第１の表示部の表示情報”ＡＢＣ”（黒色）を認識できない。
【００５７】
図１に示す表示装置１００では、領域１０４と領域１０５とで、第２の表示部の光透過特
性を異ならせている。特定領域（領域１０５）のみが遮光されることによって、ディスプ
レイ１０１前方に存在するユーザーが認識する表示情報と、後方に存在するユーザーが認
識する表示情報を変化させることができる。
【００５８】
なお、特定領域は、第１の表示部の表示情報に合わせて決定することができる。図１では
、一例として、黒色の”ＡＢＣ”という表示情報が、ディスプレイ１０１後方に存在する
ユーザーから認識できないように、領域１０５の光透過特性を調整している。黒色の”○
△×”という表示情報は、ディスプレイ１０１前方に存在するユーザーからも後方に存在
するユーザーからも認識される。ただし、ディスプレイ１０１後方に存在するユーザーは
、反転した表示情報”○△×”を認識することになる。表示情報”○△×”を反転させた
くない場合、ユーザーが表示装置１００内のＣＰＵ等に搭載される操作入力部に対して何
らかの操作を実行することにより、反転した表示情報”○△×”を元に戻すことも可能で
ある。
【００５９】
なお、ディスプレイ１０１前方からの入射光は、第１の表示部に表示される表示情報に依
存して、第１の表示部を透過する光の割合を変化させる。例えば、第１の表示部に表示情
報が表示されていない場合、入射光は、第１の表示部を透過する。第１の表示部に表示さ
れている表示情報が黒い場合、該表示情報部で、入射光は吸収される。第１の表示部に表
示されている表示情報が白い場合、該表示情報部で、入射光は反射される。従って、ディ
スプレイ１０１前方に存在するユーザーの視認性に影響を与える主な要因は、ディスプレ
イ１０１後方からの光（背景光）や、ディスプレイ１０１後方の背景であると考えて良い
。
【００６０】
図２を用いて、第２の表示部を全面的に透明とする例について説明する。図２における表
示装置２６０は、領域２４０と、領域２５０とで光透過特性が等しく透明である。なお、
領域２４０と、領域２５０は、表示装置２６０における第２の表示部における領域を示す
ものとする。
【００６１】
図２に示す表示装置２６０では、ディスプレイ前方に存在するユーザーにとって、領域２
５０におけるディスプレイ後方の背景及び背景光が遮断されないため、ディスプレイに表
示されている表示情報（黒色の”ＡＢＣ”）を認識しにくい。即ち、ディスプレイ前方に
存在するユーザーの視認性が低下する。
【００６２】
図３を用いて、第１の表示部１５２と、第２の表示部１５３の具体的な構成について説明
する。
【００６３】
第１の表示部１５２は、透光性を有する第１の基板１０６と、透光性を有する第２の基板
１０７と、発光層１１７と、第１の電極１０８と、第２の電極１０９とを有する。第１の
表示素子は、発光層１１７を、第１の電極１０８と、第２の電極１０９とで挟持する。
【００６４】
第２の表示部１５３は、透光性を有する第３の基板１１０と、透光性を有する第４の基板
１１１と、光制御層１１８と、第３の電極１１２と、第４の電極１１３とを有する。第２
の表示素子は、光制御層１１８を、第３の電極１１２と、第４の電極１１３とで挟持する
。
【００６５】
また、図３に示すように、第１の表示素子と第２の表示素子は、重畳している。なお、第
１の表示素子及び第２の表示素子の具体的な構造及び機能については、後述の実施の形態
２、実施の形態３の記載を参酌することができる。
【００６６】
なお、第１の基板１０６及び第４の基板１１１は用いなくても良い。また、第２の基板１
０７及び第３の基板１１０を、一つの基板で構成し、一方の面に第１の表示素子を、他方
の面に第２の表示素子を形成しても良い。また、第２の電極１０９と第３の電極１１２と
の間に透光性を有する絶縁層が形成されていても良い。
【００６７】
第１の基板１０６、第２の基板１０７、第３の基板１１０、第４の基板１１１としては透
光性を有する基板を用いることができる。例えば、ガラス基板、セラミックス基板などを
用いることができる。また、第１の基板１０６、第２の基板１０７、第３の基板１１０、
第４の基板１１１として、プラスチック基板などの、透光性と可撓性を有する基板を用い
ることができる。プラスチック基板としては、ＦＲＰ（Ｆｉｂｅｒｇｌａｓｓ−Ｒｅｉｎ
ｆｏｒｃｅｄ  Ｐｌａｓｔｉｃｓ）板、ＰＶＦ（ポリビニルフルオライド）フィルム、ポ
リエステルフィルムまたはアクリル樹脂フィルムを用いることができる。また、アルミニ
ウムホイルをＰＶＦフィルムやポリエステルフィルムで挟んだ構造のシートを用いること
もできる。また、絶縁層としては、上記材料の他にも透光性を有する絶縁材料を用いるこ
とができる。
【００６８】
第１の電極１０８、第２の電極１０９に用いる導電層としては透光性を有する導電物質を
用いることが好ましく、酸化亜鉛、酸化タングステンを含むインジウム酸化物、酸化タン
グステンを含むインジウム亜鉛酸化物、酸化チタンを含むインジウム酸化物、酸化チタン
を含むインジウム錫酸化物、インジウム錫酸化物（以下、ＩＴＯと示す。）、インジウム
亜鉛酸化物、酸化ケイ素を添加したインジウム錫酸化物などの導電性酸化物を用いること
ができる。また、透光性を有する導電層として光が透過する程度の厚さを有する（好まし
くは、５ｎｍ〜３０ｎｍ程度）金属を用いても良い。
【００６９】
第１の表示部１５２は、少なくとも非発光状態の場合に透光性を有するように、第１の表
示素子以外の構成についても透光性を有する物質で形成することが好ましい。
【００７０】
また、第１の表示部１５２は、パッシブマトリクス型としてもよいし、ＴＦＴなどのトラ
ンジスタによって発光素子の駆動が制御されるアクティブマトリクス型としてもよい。
【００７１】
また、第１の表示部１５２をアクティブマトリクス型とする場合、トランジスタも透光性
を有する物質で形成するのが好ましい。トランジスタに用いる半導体層として、透光性を
有する酸化物半導体層を用いるのが好ましい。酸化物半導体層としては、四元系金属酸化
物であるＩｎ−Ｓｎ−Ｇａ−Ｚｎ−Ｏ系金属酸化物や、三元系金属酸化物であるＩｎ−Ｇ
ａ−Ｚｎ−Ｏ系金属酸化物、Ｉｎ−Ｓｎ−Ｚｎ−Ｏ系金属酸化物、Ｉｎ−Ａｌ−Ｚｎ−Ｏ
系金属酸化物、Ｓｎ−Ｇａ−Ｚｎ−Ｏ系金属酸化物、Ａｌ−Ｇａ−Ｚｎ−Ｏ系金属酸化物
、Ｓｎ−Ａｌ−Ｚｎ−Ｏ系金属酸化物や、二元系金属酸化物であるＩｎ−Ｚｎ−Ｏ系金属
酸化物、Ｓｎ−Ｚｎ−Ｏ系金属酸化物などを用いることもできる。
【００７２】
図４を用いて、表示装置１５０の具体的な構成について説明する。なお上述した表示装置
１００、表示装置２６０は、図４に示す表示装置１５０と同様の構成を有する。
【００７３】
図４は、表示装置１５０の構成の一例を示すブロック図である。図４に示すように、表示
装置１５０は、第１の表示部１５２と、第２の表示部１５３と、表示画像制御部１５４と
、調光制御部１５５と、を備える。
【００７４】
また、表示装置１５０は、ＭＰＵ（Ｍｉｃｒｏ  Ｐｒｏｃｅｓｓｉｎｇ  Ｕｎｉｔ）、Ｃ
ＰＵ（Ｃｅｎｔｒａｌ  Ｐｒｏｃｅｓｓｉｎｇ  Ｕｎｉｔ）、表示装置１５０全体を制御
する制御部、ＲＡＭ（Ｒａｎｄｏｍ  Ａｃｃｅｓｓ  Ｍｅｍｏｒｙ）、ＲＯＭ（Ｒｅａｄ
Ｏｎｌｙ  Ｍｅｍｏｒｙ）、不揮発性メモリ（Ｎｏｎ−Ｖｏｌａｔｉｌｅ  Ｍｅｍｏｒ
ｙ）、画像ファイルなどを格納する記憶部、外部装置と通信を行うための通信部、画像信
号処理部、等を備えていても良い。
【００７５】
表示画像制御部１５４及び調光制御部１５５には、画像信号１５１が入力されている。画
像信号１５１は、動画を表示するものであっても、静止画を表示するものであっても良い
。また、画像信号１５１は、ＬＡＮ（Ｌｏｃａｌ  Ａｒｅａ  Ｎｅｔｗｏｒｋ）、ＭＡＮ
（Ｍｅｔｒｏｐｏｌｉｔａｎ  Ａｒｅａ  Ｎｅｔｗｏｒｋ）、ＷＡＮ（Ｗｉｄｅ  Ａｒｅ
ａ  Ｎｅｔｗｏｒｋ）、ＷＬＡＮ（Ｗｉｒｅｌｅｓｓ  Ｌｏｃａｌ  Ａｒｅａ  Ｎｅｔｗ
ｏｒｋ）等のネットワークを介して外部装置から送信された信号を、表示装置１５０が受
信した信号であっても良い。また、画像信号１５１は、記憶部に格納された画像ファイル
を表示装置１５０が読み出した信号であっても良い。
【００７６】
表示画像制御部１５４は、第１の表示部１５２に表示される表示情報を制御する機能を有
する。なお、第１の表示部１５２に表示情報が表示されていない時、第１の表示部１５２
は透明である。調光制御部１５５は、第２の表示部１５３の光透過特性の調整を制御する
機能を有する。
【００７７】
表示装置１５０は、上記のような構成により、画像信号１５１に基づいて、第１の表示部
１５２に表示情報を表示し、該表示情報に合わせて第２の表示部１５３の光透過特性を調
整する。第２の表示部１５３の特定部分のみで光透過特性を変化させることで、コントラ
ストを向上させ、ユーザーの視認性を向上させたディスプレイを有する表示装置を提供す
ることができる。
【００７８】
次に、図５及び図６を用いて、表示装置の動作について説明する。図５では、光制御層の
光透過特性を調整し、動作モードを変化させた場合のユーザーの視認性の違いについて説
明する。また図６では、図５に示した各動作モードにおけるディスプレイの表示の様子に
ついて説明する。
【００７９】
図５では、ディスプレイ１０１の前方に、第１の表示部が、後方に、第２の表示部が配置
されている。図５では一例として、光制御層を５つの動作モードに分けて説明する。図５
（Ａ）の動作モードにおける光制御層１１８ａは透明、図５（Ｂ）の動作モードにおける
光制御層１１８ｂは半透明、図５（Ｃ）の動作モードにおける光制御層１１８ｃは不透明
、図５（Ｄ）の動作モードにおける光制御層１１８ｄは反射、図５（Ｅ）の動作モードに
おける光制御層１１８ｅは完全遮光である。図５（Ｄ）の動作モードは、ほぼ鏡面反射で
あると考えてよい。また、図５（Ａ）、図５（Ｂ）、図５（Ｃ）、図５（Ｅ）の各動作モ
ードにおいても、反射光はそれぞれ存在する。なお、図５ではこれらの具体的な度合につ
いては、特に限定していない。
【００８０】
図５（Ａ）は、光制御層１１８ａが透明である。ディスプレイ１０１後方の背景がディス
プレイ１０１前方のユーザーの視界に映し出され、ディスプレイ１０１後方の背景光が、
ディスプレイ１０１を完全に透過する。この時、ディスプレイ１０１前方のユーザーから
見て、ディスプレイ１０１に表示されている表示情報のコントラストは悪い。
【００８１】
図５（Ｂ）は、光制御層１１８ｂが半透明である。ディスプレイ１０１後方の背景が、お
よそ半分、ディスプレイ１０１前方のユーザーの視界に映し出され、ディスプレイ１０１
後方の背景光は、ディスプレイ１０１をおよそ半分透過する。この時、ディスプレイ１０
１前方のユーザーから見て、ディスプレイ１０１に表示されている表示情報のコントラス
トはあまり良くない。
【００８２】
図５（Ｃ）は、光制御層１１８ｃが不透明である。ディスプレイ１０１前方のユーザーの
視界に映し出されるディスプレイ１０１後方の背景は、ぼやけていて、ディスプレイ１０
１後方の背景光は、ディスプレイ１０１をわずかに透過する。この時、ディスプレイ１０
１前方のユーザーから見て、ディスプレイ１０１に表示されている表示情報のコントラス
トはやや良い。
【００８３】
図５（Ｄ）は、光制御層１１８ｄが反射である。ディスプレイ１０１後方の背景がディス
プレイ１０１前方のユーザーの視界には映し出されず、ディスプレイ１０１後方の背景光
も完全に遮光される。この時、ディスプレイ１０１前方のユーザーから見て、ディスプレ
イ１０１に表示されている表示情報のコントラストは良い。この際、光制御層１１８自体
が、第１の表示部に対してバックライトのような役割を果たすため、ディスプレイ１０１
が明るくなる。光取り出し効率が向上し、ディスプレイ１０１に表示されている表示情報
は、明るくなり、ディスプレイ１０１前方のユーザーの視認性は向上する。
【００８４】
図５（Ｅ）は、光制御層１１８ｅが完全遮光である。ディスプレイ１０１後方の背景がデ
ィスプレイ１０１前方のユーザーの視界には映し出されず、ディスプレイ１０１後方の背
景光も完全に遮光される。この時、ディスプレイ１０１前方のユーザーから見て、ディス
プレイ１０１に表示されている表示情報のコントラストは非常に良い。
【００８５】
なお、上述した一例に限られず、光制御層１１８を備える第２の表示素子の種類を変化さ
せる、光制御層１１８を挟持する電極に印加する電圧の大きさを変化させることで、光制
御層１１８の光透過特性を段階的に変化させる事が可能である。
【００８６】
第１の表示部に用いられる発光層と第２の表示部に用いられる光制御層とを、バランス良
く駆動させることが好ましい。
【００８７】
次に、図６を用いて、図５に示した各動作モードに対応させて、ディスプレイ１０１の表
示の様子について説明する。なお、ディスプレイ１０１の第２の表示部の表示の様子を明
確にするため、ディスプレイ１０１の第１の表示部には表示情報が表示されていないもの
として説明する。
【００８８】
図６（Ａ）は、図５（Ｅ）の動作モードに対応し、全面的にディスプレイ１０１の第２の
表示部を遮光している。光制御層を駆動させる電極に印加する電圧を調整することで、図
６（Ｂ）に示すように、全面的にディスプレイ１０１の第２の表示部を透明にすることも
できる。
【００８９】
図６（Ｃ）は、図５（Ｂ）の動作モードに対応し、部分的にディスプレイ１０１の第２の
表示部を半透明にしている。図６（Ｄ）は、図５（Ｃ）及び図５（Ｄ）の動作モードに対
応し、部分的にディスプレイ１０１の第２の表示部を不透明に、また部分的にディスプレ
イ１０１の第２の表示部を反射にしている。
【００９０】
図６（Ｅ）に示すように、ディスプレイ１０１の第２の表示部の不透明にする部分を曲線
にすることもできる。また図６（Ｆ）に示すように、第１の表示部１０２に表示される表
示情報（”ＡＢＣ”）をかたどってディスプレイ１０１の第２の表示部を遮光し、更にか
たどった部分を覆うように、ディスプレイ１０１の第２の表示部を反射にすることもでき
る。この他にも、ディスプレイ１０１の第２の表示部の半透明にする部分を円にする、ま
た第１の表示部１０２に表示される文字を表示するために使われる画素に対応させて、デ
ィスプレイ１０１の第２の表示部を反射にすることも可能である。ディスプレイ１０１後
方の背景及び背景光を遮断しつつ、ユーザーの視認性を向上させた表示状態を実現するこ
とが可能である。
【００９１】
なお、本実施の形態は、本明細書で示す他の実施の形態と適宜組み合わせることができる
。
【００９２】
（実施の形態２）
本実施の形態では、表示装置における第１の表示素子の具体的な構造及び機能、第１の表
示部の回路構成及び機能について説明する。
【００９３】
第１の表示素子に用いられる発光素子としては透明な自発光素子を適用することが好まし
い。具体的には、ＥＬ（Ｅｌｅｃｔｒｏ  Ｌｕｍｉｎｅｓｃｅｎｃｅ）を利用する素子を
適用することが好ましく、ＬＥＤ（Ｌｉｇｈｔ  Ｅｍｉｔｔｉｎｇ  Ｄｉｏｄｅ）、ＯＬ
ＥＤ（Ｏｒｇａｎｉｃ  Ｌｉｇｈｔ  Ｅｍｉｔｔｉｎｇ  Ｄｉｏｄｅ）などを用いること
ができる。ＬＥＤ及びＯＬＥＤは、基本的に発光原理が類似し、比較的低電圧で高効率な
発光が可能であるため、これらの素子を用いることが好ましい。
【００９４】
第１の表示素子は、少なくとも発光層及び該発光層を挟持する２つの電極を備える。発光
層は単数の層で構成されていても、複数の層が積層されるように構成されていてもどちら
でも良い。なお、第１の表示素子として、例えば、陰極、電子注入層、電子輸送層、発光
層、ホール輸送層、ホール注入層、陽極の順に積層した構成を用いても良い。
【００９５】
次に、表示装置における第１の表示部の回路構成と機能について説明する。図７は、第１
の表示部及び表示画像制御部の構成例を具体的に示したブロック図である。
【００９６】
表示画像制御部１５４は、第１の表示部を駆動するための、表示制御部１５６、走査駆動
部１５７、データ駆動部１５８、駆動電源供給部１５９、共通電源供給部１６０、ｍ本の
走査線（ＳＬ＿１〜ＳＬ＿ｍ）、ｎ本のデータ線（ＤＬ＿１〜ＤＬ＿ｍ）、ｍ本の電源供
給線（ＤＰＬ＿１〜ＤＰＬ＿ｍ）、ｍ本の共通電源線（ＣＰＬ＿１〜ＣＰＬ＿ｍ）等を有
する。なお、表示画像制御部１５４は該構成に限定されない。
【００９７】
第１の表示部１５２は、ｎ×ｍ（ｎ、ｍは所定の自然数）個のマトリクス状に配列された
画素を有し、表示情報を表示する機能を有する。各画素には、第１の表示素子が含まれて
おり、第１の表示素子は、発光層が透明な２つの電極で挟持された構造を有する。即ち第
１の表示素子が画素の個数（ｎ×ｍ個）分集まることにより、第１の表示部１５２に表示
情報を表示する。なお、第１の表示部１５２に表示される表示情報は、動画でも静止画で
も良い。また、一例として、ｍ本の走査線の各々は、各列に配列したｎ個の画素に電気的
に接続され、ｎ本のデータ線の各々は、各行に配列したｍ個の画素に電気的に接続され、
ｍ本の電源供給線の各々は、各列に配列したｎ個の画素に電気的に接続され、ｍ本の共通
電源線の各々は、各列に配列したｎ個の画素に電気的に接続されている。
【００９８】
表示制御部１５６は、入力された画像信号１５１に基づいて、走査駆動部１５７、データ
駆動部１５８、駆動電源供給部１５９、共通電源供給部１６０のそれぞれに対して、制御
信号１７１、制御信号１７２、制御信号１７２、制御信号１７４、を入力する。これらの
信号制御により、第１の表示部１５２に表示される表示情報（画像等）の制御を行う。ま
た、表示制御部１５６には、第１の表示部１５２における表示情報の表示、非表示を制御
する出力許可制御部等が備えられていても良い。
【００９９】
走査駆動部１５７は、選択電圧（ＶＳＥＬＥＣＴ）を、走査線（ＳＬ＿１〜ＳＬ＿ｍ）を
介して、各行に配列したｍ個の画素へと印加する。なお、選択電圧は、画像信号１５１に
基づいて表示制御部１５６から伝達される制御信号１７１により決定される。
【０１００】
データ駆動部１５８は、データ電圧（ＶＤＡＴＥ）を、データ線（ＤＬ＿１〜ＤＬ＿ｍ）
を介して各行に配列したｍ個の画素へと印加する。なお、データ電圧は、画像信号１５１
に基づいて表示制御部１５６から伝達される制御信号１７２により決定される。
【０１０１】
駆動電源供給部１５９は、第１の表示部１５２の各画素を駆動させるため（即ち発光層を
発光させるため）の駆動電圧（ＶＣＣ）を、電源供給線（ＤＰＬ＿１〜ＤＰＬ＿ｍ）を介
して、各列に配列したｎ個の画素へと印加する。なお、駆動電圧は、画像信号１５１に基
づいて表示制御部１５６から伝達される制御信号１７３により決定される。
【０１０２】
共通電源供給部１６０は、接地電圧（ＶＧＮＤ）を、共通電源線（ＣＰＬ＿１〜ＣＰＬ＿
ｍ）を介して各列に配列したｎ個の画素へと印加する。なお、接地電圧は、画像信号１５
１に基づいて表示制御部１５６から伝達される制御信号１７４により選択的に切り換えら
れる。
【０１０３】
なお、本実施の形態は、本明細書で示す他の実施の形態と適宜組み合わせることができる
。
【０１０４】
（実施の形態３）
本実施の形態では、表示装置における第２の表示素子の具体的な構造及び機能、第２の表
示部の回路構成及び機能について説明する。
【０１０５】
図８（Ａ）は、パッシブマトリクス型の第２の表示部１５３の一例を示す回路図である。
また、図８（Ｂ）は、図８（Ａ）の回路図の一部分を拡大した上面図であり、図８（Ｃ）
は、図８（Ｂ）における点線Ａ−Ｂの断面図である。なお、図８（Ｂ）では、光制御層１
１８は、省略している。また、図８では、第３の電極１１２を後述する実施の形態４に記
載の電極に特に対応させていないが、実施の形態４に記載の電極に対応させても良い。
【０１０６】
図８では、第２の表示部１５３をパッシブマトリクス型の回路で構成した例を示している
が特に限定されず、第２の表示部１５３は、アクティブマトリクス型の回路等で構成して
も良い。
【０１０７】
図８に示す第２の表示部１５３は、第３の基板１１０上に第１の方向（行方向）に延伸し
て設けられた第３の電極１１２ａ乃至第３の電極１１２ｃと、第４の基板１１１上に第２
の方向（列方向）に延伸して設けられた第４の電極１１３ａ乃至第４の電極１１３ｃとを
含む。また、第３の電極１１２ａ乃至第３の電極１１２ｃと、第４の電極１１３ａ乃至第
４の電極１１３ｃとに挟持される光制御層１１８を含む。第３の電極１１２ａ乃至第３の
電極１１２ｃを陰極として用い、第４の電極１１３ａ乃至第４の電極１１３ｃを陽極とし
て用いても良いし、逆でも良い。
【０１０８】
第１の表示部に含まれる画素１個分の領域は、画素領域１２０として図８（Ａ）、図８（
Ｂ）に示されている。
【０１０９】
光制御層１１８を駆動させる第２の表示部１５３に設けられた第３の電極１１２（又は第
４の電極１１３）を選択的に抽出することで、表示装置１００を操作するユーザーの意図
に合わせて光制御層１１８の光透過特性を調整することが可能になる。第３の電極１１２
（又は第４の電極１１３）の各々の電極を画素領域１２０と等しいサイズ及び形状とした
場合には、第１の表示部１０２に表示される表示情報の画素を正確に抽出し、該画素と対
応させて、第２の表示部１５３の選択駆動電極を抽出できる。
【０１１０】
次に、表示装置における第２の表示素子の具体的な構造及び機能について説明する。
【０１１１】
第２の表示素子に用いられる光制御素子としては電圧の大きさ、及び電圧の印加、非印加
に応じて光透過特性を段階的に調整できる素子を適用することが好ましい。本実施の形態
では、エレクトロクロミック素子、ＰＤＬＣ（Ｐｏｌｙｍｅｒ  Ｄｉｓｐｅｒｓｅｄ  Ｌ
ｉｑｕｉｄ  Ｃｒｙｓｔａｌｓ）素子、ＳＰＤ（Ｓｕｓｐｅｎｄｅｄ  Ｐａｒｔｉｃｌｅ
Ｄｅｖｉｃｅｓ）素子、エレクトロウェッティング素子を用いた例について説明するが
、これらの素子に限定されない。なお、これらの素子が有する特徴はそれぞれ異なる。
【０１１２】
まず第２の表示素子として、ＳＰＤ（Ｓｕｓｐｅｎｄｅｄ  Ｐａｒｔｉｃｌｅ  Ｄｅｖｉ
ｃｅｓ）素子２０２を用いた場合について、図９（Ａ）及び図９（Ｂ）を用いて説明する
。ＳＰＤ素子２０２は、光制御層と、該光制御層を挟持する透明導電層２０３及び透明導
電層２０１とを有する。ＳＰＤ素子２０２は、２枚のＰＥＴ（ポリエチレンテレフタラー
ト）フィルム２００、２０４との間に配置される。ＰＥＴフィルム２００には透明導電層
２０１が蒸着され、ＰＥＴフィルム２０４には透明導電層２０３が蒸着されている。光制
御層は、分散樹脂２０５と、媒体樹脂２０８とにより構成される。
【０１１３】
分散樹脂２０５は、液状の樹脂であり、針状の偏光性粒子２０６を、数マイクロメーター
の液滴２０７中に分散させたものである。偏光性粒子２０６を分解や凝集させることなく
均一に分散させる働きをする。媒体樹脂２０８は、ＵＶ硬化性樹脂であり、液滴２０７を
媒体樹脂２０８中に均一に分散させ、ＵＶ硬化して液滴２０７を固定化する働きをする。
【０１１４】
なお、分散樹脂２０５、及び媒体樹脂２０８に用いられる物質は特に限定されない。用途
に合わせて適宜選択することが好ましい。
【０１１５】
透明導電層２０１、透明導電層２０３としては、ＩＴＯ、ＳｎＯ２、（Ｉｎ２Ｏ３＋Ｓｎ
Ｏ２）、Ｉｎ２Ｏ３、ＺｎＯなどを用いることができる。
【０１１６】
ＳＰＤ素子２０２は、光制御層に用いられる物質によって色及び色調は異なる。
【０１１７】
ＳＰＤ素子２０２は、印加される電圧の大きさ、及び電圧の印加、非印加に伴って応じて
、透明、不透明、反射を取り得る。なおこれらの具体的な度合は、印加電圧の大きさに応
じて自由に調整可能である。所望の光透過特性に合わせて、適宜、印加電圧の大きさを決
定することが好ましい。
【０１１８】
ＳＰＤ素子２０２の電圧印加時の光透過率は、一般的に、６％〜７５％の範囲で調整可能
であるが、この範囲に限定されない。なお、光透過率は、光制御層製造時に調整すること
もでき、０．１％以下の完全遮光も可能になる。
【０１１９】
図９（Ａ）のように、透明導電層２０１、透明導電層２０３に電圧を印加しない場合、Ｓ
ＰＤ素子２０２内の液滴２０７中に分散された偏光性粒子２０６は、無秩序な状態に存在
し、入射光は偏光性粒子２０６に吸収される。入射光の一部は乱反射して、光制御層を透
過しない。図９（Ｂ）のように、透明導電層２０１、透明導電層２０３に電圧を印加する
場合、ＳＰＤ素子２０２内の液滴２０７中に分散された偏光性粒子２０６が電場と平行に
配向する。入射光は光制御層を直進し透過する。即ち電圧非印加時には、光制御層は、不
透明あるいは反射となり、電圧印加時には、透明となる。
【０１２０】
ＳＰＤ素子２０２を用いた場合、一般的に、印加電圧の大きさは、１００Ｖ程度である。
光制御層の光透過特性は印加電圧の大きさに依存して変化する。なお、電圧の印加、非印
加による光制御層の反応は可逆的である。
【０１２１】
なお、ＳＰＤ素子２０２において光制御層に対して電圧の印加を開始してから、透明にな
るまでの時間は印加電圧が大きいほど速くなる。一方で、電圧の印加を停止してから、不
透明あるいは反射になるまでの時間は印加電圧に依存しない。
【０１２２】
光透過特性は液滴２０７中の偏光性粒子２０６の動きによって変化する。液滴２０７の内
部は液体であり、偏光性粒子２０６は印加電圧の大きさに応じて自由に配向できるためで
ある。なお、偏光性粒子２０６の粒子径が大きいほどヘイズが大きい傾向があるため偏光
性粒子２０６の平均粒子径等を適切に調整することが好ましい。
【０１２３】
次に第２の表示素子として、ＰＤＬＣ（Ｐｏｌｙｍｅｒ  Ｄｉｓｐｅｒｓｅｄ  Ｌｉｑｕ
ｉｄ  Ｃｒｙｓｔａｌｓ）素子を用いた場合について、図９（Ｃ）及び図９（Ｄ）を用い
て説明する。ＰＤＬＣ素子４０２は、光制御層と、該光制御層を挟持する透明導電層４０
１と、透明導電層４０３とを有する。ＰＤＬＣ素子４０２は、２枚のガラス基板４００、
４０４の間に配置される。ガラス基板４００の光制御層側には、透明導電層４０１が蒸着
され、ガラス基板４０４の光制御層側には、透明導電層４０３が蒸着されている。光制御
層は、高分子分散型液晶層４０６により構成される。
【０１２４】
なお、図９（Ｃ）及び図９（Ｄ）では、ガラス基板４００、４０４を用いる例を示してい
るがこの構成に限定されず、ガラス基板の代わりにポリエステル等を用いても良い。
【０１２５】
透明導電層４０１、透明導電層４０３としては、透明導電層２０１、透明導電層２０３と
同様の物質を用いることができる。
【０１２６】
なお、本明細書において高分子分散型液晶層４０６に用いられる高分子分散型液晶は特に
限定されない。用途に合わせて適宜選択することが好ましい。
【０１２７】
ＰＤＬＣ素子における光制御層の着色は、一般的に白が多いが、特に限定されず、例えば
、青や、緑であっても良い。用いる高分子、及び液晶によって色、及び色調は適宜変化さ
せることができる。
【０１２８】
ＰＤＬＣ素子を用いた場合、一般的に、印加電圧の大きさは、２４Ｖ〜１２０Ｖ程度であ
る。光制御層の光透過特性は印加電圧の大きさに依存して変化する。なお、電圧の印加、
非印加による光制御層の反応は可逆的である。所望の光透過特性に合わせて、適宜、印加
電圧の大きさを決定することが好ましい。
【０１２９】
ＰＤＬＣ素子における光制御層は、透明、不透明、反射を取り得る。なおこれらの具体的
な度合は、印加電圧の大きさに応じて自由に調整可能である。
【０１３０】
ＰＤＬＣ素子が有する光制御層の電圧印加時の光透過率は、一般的に、５０％〜８０％の
範囲で調整可能であるが、この範囲に限定されない。また電圧印加時のヘイズは、０．６
０〜０．８０の範囲で変化するものが多い。
【０１３１】
図９（Ｃ）のように、透明導電層４０１、透明導電層４０３に電圧を印加しない場合、Ｐ
ＤＬＣ素子４０２内に分散された液晶分子４０５は、無秩序な状態で存在し、高分子分散
型液晶層４０６は散乱モードになる。従って、光制御層は、不透明となる。図９（Ｄ）の
ように、透明導電層４０１、透明導電層４０３に電圧を印加する場合、ＰＤＬＣ素子４０
２内に分散された液晶分子４０５は、電場と平行に配向して、高分子分散型液晶層４０６
は透過モードになる。従って、光制御層は透明となる。即ち電圧非印加時には、光制御層
は、不透明となり、電圧印加時には、透明となる。
【０１３２】
光透過特性は、液晶分子４０５の配向、粒子径、及び形状、高分子分散型液晶層４０６の
種類、高分子分散型液晶層４０６作製時の冷却割合、加熱割合等様々な要因によって変化
する。従って、諸条件を適宜選択することが望ましい。
【０１３３】
なお、液晶分子４０５の平均粒子径は、代表的には約０．１μｍ以上２０μｍ以下となる
。平均粒子径等を適宜選択し、１μｍ程度に調整することがより好ましい。
【０１３４】
また、ＰＤＬＣ素子は、比較的大面積のディスプレイに用いられることが好ましい。
【０１３５】
次に第２の表示素子として、エレクトロクロミック素子を用いた場合について図１０を用
いて説明する。図１０（Ａ）に示すように、エレクトロクロミック素子３０９は、少なく
とも、透明導電層３０１、イオン蓄積層３０２（対向電極）、イオン伝導体層３０３（電
解質）、エレクトロクロミック層３０４（エレクトロクロミック電極）、透明導電層３０
５、の５層構造を有する。エレクトロクロミック素子３０９は、光制御層を、透明導電層
３０１及び透明導電層３０５により挟持する構造を有する。光制御層は、イオン蓄積層３
０２、イオン伝導体層３０３、エレクトロクロミック層３０４から構成される３層構造を
有し、更にエレクトロクロミック層３０４とイオン蓄積層３０２との間にイオン伝導体層
３０３が挟み込まれる構造を有する。ガラス基板３０６には、透明導電層３０５が蒸着さ
れ、ガラス基板３００には、透明導電層３０１が蒸着されている。
【０１３６】
エレクトロクロミック素子は、電気を流すことで物質の酸化還元状態が変化し、エレクト
ロクロミック層３０４が着色する性質を有する。イオン伝導体層３０３を利用して、イオ
ン蓄積層３０２とエレクトロクロミック層３０４との間に生じる可逆的な電気化学反応（
酸化還元反応）によって、光制御層の光透過特性が変化する。透明導電層３０１、透明導
電層３０５に印加される電圧の大きさに応じて、エレクトロクロミック層３０４の色の濃
淡、強弱、明暗等の所謂、色調は調整できる。
【０１３７】
エレクトロクロミック素子を用いた場合、一般的に、印加電圧の大きさは、１Ｖ〜５Ｖ程
度である。ＳＰＤ素子、ＰＤＬＣ素子と比べると印加電圧は小さくて良い。
【０１３８】
エレクトロクロミック素子における光制御層は、透明、不透明、反射を取り得る。なおこ
れらの具体的な度合は、印加電圧の大きさに応じて自由に調整可能である。所望の光透過
特性に合わせて、適宜、印加電圧の大きさを決定することが好ましい。
【０１３９】
エレクトロクロミック素子が有する光制御層の電圧印加時の光透過率は、一般的に２５％
〜１０％の範囲で調整可能であり、電圧非印加時の光透過率は、７０％〜５０％の範囲で
調整可能であるがこの範囲に限定されない。また電圧非印加時のヘイズは、０．６７〜０
．６０の範囲で変化し、電圧印加時のヘイズは、０．３０〜０．１８の範囲で変化するも
のが多い。
【０１４０】
図１０（Ａ）に示すように、透明導電層３０１、透明導電層３０５に電圧を印加すると、
透明導電層３０５から、陰イオン３０７がエレクトロクロミック層３０４に注入されるこ
とにより、エレクトロクロミック層３０４は陰イオン３０７を得る。また、透明導電層３
０１と電気的に接続されるイオン蓄積層３０２から、陽イオン３０８が放出され、イオン
蓄積層３０２、イオン伝導体層３０３を通過して、エレクトロクロミック層３０４に注入
される。この時、エレクトロクロミック層３０４は着色し、不透明となる。
【０１４１】
図１０（Ｂ）に示すように、透明導電層３０１、透明導電層３０５に印加していた電圧を
停止すると、陽イオン３０８は、エレクトロクロミック層３０４から放出され、再びイオ
ン蓄積層３０２に注入される。陰イオン３０７もまた、エレクトロクロミック層３０４か
ら放出され、再び透明導電層３０５に注入される。この時、エレクトロクロミック層３０
４は、透明となる。
【０１４２】
なお、エレクトロクロミック素子は、光透過特性を変化させるための電圧、変化させた光
透過特性を元に戻すための電圧のみを必要とする。ＳＰＤ素子及びＰＤＬＣ素子は、一旦
変化させた光透過特性を維持するために、連続的に電圧を印加し続けなければならない。
このため、エレクトロクロミック素子は、低消費電力を実現することができる。
【０１４３】
酸化還元反応によって生じる光透過特性の変化は、エレクトロクロミック層３０４に用い
られる物質により異なる。例えば、エレクトロクロミック層３０４に、ＷＯ３を用いると
、還元反応により着色し、酸化反応により、透明になる。（[数１]参照。）酸化反応によ
り着色し、還元反応により、透明になる物質も存在し、これらの物質を用いても良い。[
数１]において、右矢印の反応（還元反応）が進行
すると着色し、左矢印の反応（酸化反応）が進行すると元の状態（透明）になる。
【数１】
2016191948.tif 000003
【０１４４】
なお、ｘは、一般的に、０より大きく０．２５より小さい事が望ましい。
【０１４５】
エレクトロクロミック層に用いられる物質としては、各種金属酸化物、具体的には、ＷＯ
３、（ＷＯ３＋ＭｏＯ３）、（ＷＯ３＋ＴｉＯ２）、Ｆｅ２Ｏ３、ＭｎＯ２、ＮｉＯ、Ｖ
２Ｏ５、ＩｒＯ２、窒化スズ、窒化インジウム、ポリチオフェン、ポリピロール、金属フ
タロシアニン、ビオロゲン等を用いることが好ましい。なお電気化学的に安定であり、着
色の駆動寿命が長い物質を用いることが好ましい。
【０１４６】
イオン蓄積層３０２に用いられる物質としては、ＩｒＯ２、ＲｈＯ２、ＮｉＯ２等を用い
ることが好ましい。
【０１４７】
透明導電層３０１、透明導電層３０５としては、透明導電層２０１、透明導電層２０３と
同様の物質を用いることができる。
【０１４８】
イオン伝導体層３０３に用いられる陽イオン（[数１]におけるＭ＋）としては、Ｈ＋、
Ｎａ＋、Ｌｉ＋、Ｋ＋等を用いることが好ましい。
【０１４９】
また、液体のイオン伝導体層３０３としては、溶媒に電解質を溶かしたものを用いること
ができる。具体的に、溶媒として、水、プロピレンカーボネート、エチレンカーボネート
、γ−ブチロラクトン等を用いる事が好ましい。また電解質として、酸類は、硫酸、塩酸
、等、アルカリ類は、ＮａＯＨ、ＫＯＨ、ＬｉＯＨ等、塩類は、過塩素酸リチウム、過塩
素酸ナトリウム、過塩素酸銀等のアルカリ（土類）金属塩などの無機イオン塩や４級アン
モニウム塩や環状４級アンモニウム塩、Ｌｉ２Ｏ、ＬｉＡｌＦ４等を用いることが好まし
い。
【０１５０】
また、ゲル系のイオン伝導体層３０３としては、アセトニトリル、エチレンカーボネート
、プロピレンカーボネート、若しくはその混合物に対して、ポリアクリロニトリル、ポリ
アクリルアミドなどのポリマーを混入して重合させたもの等を用いることが好ましい。
【０１５１】
また、固体系のイオン伝導体層３０３としては、ポリエチレンオキサイドなどの高分子側
鎖にスルホンイミド塩、アルキルイミダゾリウム塩、テトラシアノキノジメタン塩などの
塩を持つもの等を用いることが好ましい。
【０１５２】
また、固体系のイオン伝導体層３０３として、ナノ粒子薄膜状の物質を用いても良い。ナ
ノ粒子薄膜状の物質を用いる事で、酸化還元反応の速度を速め、ディスプレイのコントラ
スト向上を図ることが可能である。
【０１５３】
なお、エレクトロクロミック素子の着色は、エレクトロクロミック層３０４に用いられる
物質により異なる。例えば、Ｖ２Ｏ５を用いた場合、光制御層は、黄緑色に着色する。ま
た、Ｆｅ２Ｏ３を用いた場合、光制御層は、橙色に着色する。また、（ＷＯ３＋ＭｏＯ３
）を用いた場合、光制御層は、濃青色に着色する。また、ＷＯ３（ｅ）Ｖ２Ｏ５（ｃｅ）
を用いた場合、光制御層は、濃緑色に着色する。ユーザーの意図する表示情報に対応させ
て、コントラストが向上する色を選択することが好ましい。
【０１５４】
次に第２の表示素子として、エレクトロウェッティング素子を用いた場合について図１１
を用いて説明する。
【０１５５】
エレクトロウェッティング（Ｅｌｅｃｔｒｏｗｅｔｔｉｎｇ）素子は、疎水性の表面を持
っている絶縁層に電圧を印加すると表面が親水性に変化する性質を有する。疎水性絶縁層
の表面の親水性は、印加電圧の大きさ等に応じて調整できる。
【０１５６】
図１１に示すように、エレクトロウェッティング素子８０９は、少なくとも、透明導電層
８０２、透明導電層８０７、疎水性表面を有する絶縁層８０３、カラー油膜８０４、透明
極性流体層８０６を有する。光制御層は、透明導電層８０２、透明導電層８０７により挟
持される。光制御層は、疎水性表面を有する絶縁層８０３、カラー油膜８０４、透明極性
流体層８０６の３層構造を有し、カラー油膜８０４が疎水性表面を有する絶縁層８０３及
び透明極性流体層８０６により挟持される。
【０１５７】
エレクトロウェッティング素子は、基板８０１、基板８０８により挟持される。なお、基
板８０１上には、反射膜８０５が形成されている。基板８０１の疎水性表面を有する絶縁
層８０３側に、透明導電層８０２は蒸着され、基板８０８の透明極性流体層８０６側に、
透明導電層８０７は蒸着されている。
【０１５８】
図１１（Ａ）に示すように、透明導電層８０２及び透明導電層８０７に電圧が印加されな
いと、カラー油膜８０４は、疎水性表面を有する絶縁層８０３上に均一に広がり、透明極
性流体層８０６と疎水性表面を有する絶縁層８０３との間で平衡状態を取り、連続した膜
を形成する。カラー油膜８０４は全ての方向で安定し、入射光を完全に吸収する。この時
、光制御層は、カラー油膜８０４の色に着色する。
【０１５９】
図１１（Ｂ）に示すように、透明導電層８０２及び透明極性流体層８０６に電圧を印加す
ると、疎水性表面を有する絶縁層８０３の表面に電位差が生じ、該表面が徐々に親水性に
変化する。該表面が親水性に変化するに従って、透明極性流体層８０６は移動し、疎水性
表面を有する絶縁層８０３の表面に接触する。カラー油膜８０４もまた、はじかれて移動
し、連続した膜から別の形態に変化する。具体的には、印加電圧が大きくなるほど、疎水
性表面を有する絶縁層８０３が、透明極性流体層８０６に晒される部分が広くなる。この
時、光制御層は、カラー油膜８０４を除いた部分で透明になる。
【０１６０】
なお、カラー油膜８０４が側面方向にどこまで移動するか、またカラー油膜８０４の接触
角の変化等は、カラー油膜８０４、疎水性表面を有する絶縁層８０３、透明極性流体層８
０６が接する部分に生じる静電力、表面張力等のバランスによって決定される。また、透
明導電層８０２の幅、間隔などの違いによってもカラー油膜８０４の挙動は異なるため、
適切な条件を選択することが好ましい。
【０１６１】
カラー油膜８０４に用いられる物質としては、Ｃ１０Ｈ２２、Ｃ１２Ｈ２６、Ｃ１４Ｈ３
０等が挙げられる。カラー油膜８０４の厚さは１μｍ以上１０μｍであることが好ましい
。
【０１６２】
なお、光制御層の着色は、カラー油膜８０４に用いられる物質により異なる。透明、着色
間の段階的な調整は、用いられるカラー油膜８０４の安定性や質に大きく依存する。理論
的にはどのような色で着色することも可能であり、例えば、Ｃ（シアン）、Ｍ（マゼンダ
）、Ｙ（イエロー）の各々に着色した油を積層すればフルカラー表示を実現することもで
きる。
【０１６３】
疎水性表面を有する絶縁層８０３は、絶縁層上に疎水性を有する層を形成することにより
得られる。絶縁層に用いられる物質としては、ＳｉＯｘ、ＳｉＮｙ、ＰＺＴ、ＢＳＴ等が
挙げられる。また、絶縁層の厚さは０．１μｍ以上１μｍであることが好ましい。疎水性
を有する層に用いられる物質としては、フッ素樹脂等を用いることが好ましいが、特に限
定されない。耐久性及び撥水性の高い物質を選定することが特に好ましい。疎水性を有す
る層の厚さは０．１μｍ以上１μｍであることが好ましい。
【０１６４】
基板８０１、基板８０８は、透光性を有する基板を用いることができる。例えば、ガラス
基板、セラミックス基板などを用いることが好ましい。
【０１６５】
透明導電層８０２、透明導電層８０７に用いられる物質としては、透明導電層２０１、透
明導電層２０３と同様の物質の他に、ＩＺＯ（登録商標）等を用いることができる。透明
導電層８０２、透明導電層８０７の厚さは０．１μｍ以上１μｍであることが好ましい。
【０１６６】
透明導電層８０２、透明導電層８０７の形状及びサイズの、詳細については実施の形態１
を参酌することができる。電極の形状及びサイズはユーザーの要求に従って変化させるこ
とが可能である。
【０１６７】
透明極性流体層８０６に用いられる物質としては、水分、食塩水、塩化カリウム溶液等を
用いることができる。透明極性流体層８０６の厚さは２０μｍ以上２５０μｍであること
が好ましい。
【０１６８】
反射膜８０５に用いられる物質としては、Ａｌ、Ａｇ、ＭｏＷ等を用いることができるが
特に限定されない。また、反射膜８０５は、長方形、正方形、円形、三角形、ひし形、楕
円など、種々の形状を取り得る。更に、基板８０１上に、周期的に間隔を置いて形成する
ことも可能である。
【０１６９】
上述のように、ＳＰＤ素子、エレクトロクロミック素子、ＰＤＬＣ素子、エレクトロウェ
ッティング素子は、透明、不透明、反射を取り得る。なおこれらの具体的な度合は、印加
電圧の大きさに応じて自由に調整可能である。所望の光透過特性に合わせて、適宜、印加
電圧の大きさを決定することが好ましい。また、ユーザーの意図に合わせた表示状態を実
現するために適切な素子を選択する事が好ましい。
【０１７０】
なお、液晶ディスプレイでは、偏光板により透過する光を制限し、２枚の配向板の間に液
晶を挟みこんで液晶を支持している。このため、実際のディスプレイは偏光板および配向
板により、入射する光量の半分以上が吸収され、透光性が低減してしまうという問題があ
る。これに対し、第２の表示素子に用いられる光制御素子として、エレクトロクロミック
素子、ＰＤＬＣ素子、ＳＰＤ素子、エレクトロウェッティング素子等を用いた場合、ディ
スプレイに、偏光板および配向板を使用する必要がない。偏光板、配向板を使用しないこ
とで、ディスプレイに入射する光量の吸収を大幅に減少させることができるため、ディス
プレイの透光性を高めることが可能である。表示部をより明るくすることができるため、
視認性を向上させ、且つ、より少ない電力で駆動可能な透明ディスプレイを有する表示装
置を提供することができる。また、偏光板、配向板を使用しないことで、ディスプレイを
より簡単な構造にすることができるため、低コストな表示装置を提供することができる。
【０１７１】
また、これらの素子は、第１の表示部１５２を透過する光を反射させることができる。従
って、第２の表示部１５３の反射部において、ディスプレイ１０１の光取り出し効率を向
上させることで、ディスプレイ１０１の厚さをより低減させることも可能になる。なお第
２の表示部１５３の白濁部でも同様の事が言える。
【０１７２】
これらの素子を第２の表示部に利用することで、コントラストを向上させたディスプレイ
を備えた表示装置を提供することができる。また、ユーザーの視認性を向上させたディス
プレイを備えた表示装置を提供することができる。
【０１７３】
上記構成によれば、表示装置１５０の調光部の光透過特性を、第１の表示部１５２の表示
情報に合わせて自在に調節することができる。第２の表示部１５３を透過領域と非透過領
域とに分けることで、コントラストを向上させ、ユーザーの視認性を向上させた透明ディ
スプレイを有する表示装置を提供することができる。
【０１７４】
次に、表示装置における第２の表示部の回路構成と機能について説明する。図１２は、第
２の表示部及び調光制御部１５５の構成例を具体的に示したブロック図である。
【０１７５】
調光制御部１５５は、第２の表示部を駆動するための、表示情報識別部１６１と、アドレ
ス信号生成部１６２と、調光パターン生成部１６３等を有する。なお、調光制御部１５５
は該構成に限定されない。
【０１７６】
第２の表示部１５３は、光透過特性を調整する機能を有する。第２の表示部１５３には、
第２の表示素子が含まれており、第２の表示素子は、光制御層が透明な２つの電極で挟持
された構造を有する。なお、第２の表示部１５３に備えられる電極の形状及びサイズは、
自在に変化させることが可能である。
【０１７７】
表示情報識別部１６１は、入力された画像信号１５１に基づいて、第１の表示部１５２に
表示されている表示情報を識別し、更に該表示情報が第１の表示部１５２のどの位置に表
示されているかを識別する。表示情報が表示されている位置は、第１の表示部１５２に指
定されているアドレスにより、識別することが可能になる。第１の表示部１５２に指定さ
れているアドレスは、ｎ×ｍ個のマトリクス状に配列された画素の位置に対応する。ｎ×
ｍ個のマトリクス状に配列された画素において、走査駆動部方向のアドレスを、Ａ０、Ａ
１、Ａ２、…、Ａｎ、データ駆動部方向のアドレスを、Ｂ０、Ｂ１、Ｂ２、…、Ｂｍ、と
する。（図７参照）
【０１７８】
例えば、アドレス（Ａ０、Ｂ０）における画素の発光層が発光していれば、アドレス（Ａ
０、Ｂ０）では、表示情報が表示されている、アドレス（Ａ１、Ｂ２）における画素の発
光層が発光していなければ、アドレス（Ａ０、Ｂ０）では、表示情報が表示されていない
、という識別を行うことができる。即ち、画像信号１５１から各画素の発光層が発光して
いるか否かを識別し、第１の表示部１５２に表示されている表示情報の位置を識別するこ
とができる。
【０１７９】
なお、表示情報識別部１６１において、各画素に印加されている電圧の大きさや、各画素
に対する電圧の印加及び非印加等を識別することも可能である。
【０１８０】
第２の表示部１５３に指定されているアドレスは、光制御層を挟持する電極の位置に対応
する。従って、第２の表示部１５３のアドレスは、第２の表示部１５３に備えられる電極
の形状、及びサイズに対応して変化する。
【０１８１】
例えば、第２の表示部１５３に備えられる電極が画素と、同じ形状及び同じサイズの場合
、第２の表示部１５３のアドレスは、第１の表示部１５２に備えられるｎ×ｍ個のマトリ
クス状に配列された画素に対応させて、走査駆動部方向のアドレスが、Ａ０、Ａ１、Ａ２
、…、Ａｎ、データ駆動部方向のアドレスが、Ｂ０、Ｂ１、Ｂ２、…、Ｂｍ、のように指
定される。即ち第２の表示部１５３における光制御層を挟持する電極のアドレスと、第１
の表示部１５２における画素のアドレスは一致する。
【０１８２】
例えば、第２の表示部１５３に備えられる電極が画素と、異なる形状及び異なるサイズの
場合、図１２に示すように、第２の表示部１５３のアドレスは、該電極に対応させて、第
１の表示部１５２における走査駆動部方向のアドレスが、Ｃ０、Ｃ１、Ｃ２、…、Ｃｉ、
第１の表示部１５２におけるデータ駆動部方向のアドレスが、Ｄ０、Ｄ１、Ｄ２、…、Ｄ
ｊ、（ｉ、ｊは所定の自然数）のように指定される。
【０１８３】
アドレス信号生成部１６２は、表示情報識別部１６１により識別された、第１の表示部１
５２に表示されている表示情報のアドレスから、該アドレスに合わせて、第２の表示部１
５３において光透過特性を変更する部分を決定する。即ち、表示情報のアドレスから、第
２の表示部１５３のどの位置を調光するのか、調光する特定部分の抽出を行う。特定部分
の抽出は、第２の表示部１５３に指定されたアドレスを利用して行う。調光する特定部分
のアドレスを抽出した後、第２の表示部１５３に対応させたアドレス信号を生成する。更
に生成したアドレス信号を調光パターン生成部１６３へと出力する。
【０１８４】
即ち、アドレス信号生成部１６２は、第１の表示部１５２における表示情報のアドレスに
合わせて、第２の表示部１５３における光透過特性を変更する部分のアドレスを抽出しア
ドレス信号を生成する。
【０１８５】
生成したアドレス信号に対応する電極には、電圧が印加される。選択された電極に挟持さ
れる光制御層は、光透過特性の変更が可能になる。即ち第２の表示部１５３に対応させた
アドレス信号を生成することで、調光する特定部分のアドレスを明確に決定し、選択的に
電極を駆動させることができる。従って第２の表示部１５３の光透過特性を任意の位置に
おいて調整することができる。
【０１８６】
調光する特定部分のアドレスは、表示装置１５０の内部に備えられる入力部からの入力信
号によって決定してもよいし、表示装置１５０の外部に備えられる入力装置からの入力信
号によって決定してもよい。入力部として、例えば、パーソナルコンピューターに搭載さ
れているトラックパッド、カーナビゲーション装置、電子手帳、デジタルカメラ、デジタ
ルビデオカメラ、等に搭載されている様々なボタン、タッチパネルに搭載されているキー
ボード用操作キーなどを利用することができる。また、入力装置として、例えば、テレビ
ジョン装置（テレビ、またはテレビジョン受信機ともいう）に搭載されているリモコン、
パーソナルコンピューターに搭載されているキーボード、マウス、トラックボールなどを
利用することができる。
【０１８７】
なお、表示装置１５０の内部に備えられる入力部としてタッチパネルを利用した場合、タ
ッチパネルの種類は特に限定されない。例えば、静電容量式、抵抗膜式、光学式（赤外線
センサ式、赤外線カメラ式）、超音波表面弾性波式、音響波照合式、などいずれの方式を
利用してもよい。
【０１８８】
調光パターン生成部１６３は、アドレス信号生成部１６２から出力されたアドレス信号を
取得し、調光する特定部分のアドレスにおける選択された電極に印加する電圧を決定する
。印加電圧の大きさに依存して、調光部の光透過特性は変更される。アドレス信号に対応
する電極に対する印加電圧を決定することで、調光パターンを生成する。生成された調光
パターンを第２の表示部１５３へと出力し、調光パターンに応じて、特定部分の光制御層
の光透過特性は調整される。
【０１８９】
即ち、調光する特定部分のアドレスに存在する電極に印加する電圧の大きさを決定するこ
とで、調光パターンを生成することができる。
【０１９０】
なお、本実施の形態は、本明細書で示す他の実施の形態と適宜組み合わせることができる
。
【０１９１】
（実施の形態４）
本実施の形態では、第２の表示部に備えられる電極の形状及びサイズについて図１３乃至
図１５を用いて説明する。
【０１９２】
開示する発明の一態様において、光制御層の光透過特性を変化させる位置は、光制御層を
駆動させる電極により調整される。第２の表示部に備えられる光制御層を挟持する電極の
形状及びサイズは、自在に変化させることが可能である。従って、表示装置１００を操作
するユーザーが光制御層の光透過特性を、任意の位置において自在に調整することができ
る。なお、該光透過特性は、選択した駆動電極に印加する電圧の大きさに依存する。
【０１９３】
第１の表示部に表示されている表示情報に合わせて、表示装置を操作するユーザーは、駆
動電極を選択し、駆動電極に印加する電圧の大きさを調整することができる。第１の表示
部に表示されている表示情報に合わせるとは、表示装置を操作するユーザーが例えば、視
認性を向上させたい領域や、表示情報を遮蔽したい領域を、自在に選択できることを意味
する。また、これらの選択は、表示装置を操作するユーザーの意図によるものであると考
えて良い。
【０１９４】
図１３乃至図１５では、第２の表示部１５３に用いられる第３の電極１１２の形状及びサ
イズについて例を挙げて示すが、第４の電極１１３の形状及びサイズについても同様に考
えることができる。
【０１９５】
第３の電極１１２又は第４の電極１１３のどちらか一方の形状及びサイズを変化させても
良いし、両方の形状及びサイズを変化させても良い。第３の電極１１２又は第４の電極１
１３のどちらか一方を変化させた場合、変化させた一方の電極の形状及びサイズに依存し
て光制御層の光透過特性は調整される。また、第３の電極１１２及び第４の電極１１３の
両方を変化させた場合、第３の電極１１２及び第４の電極１１３は、同一形状、同一サイ
ズで光制御層を挟持して重畳させることが好ましい。この場合、表示装置を操作するユー
ザーがより正確に、意図する光制御層を駆動させることが可能になる。
【０１９６】
図１３（Ａ）は、第１の表示部１５２と、第２の表示部１５３とを積層し、上面から見た
図である。第３の電極１１２を、ディスプレイ１０１のサイズに対応させて、第３の基板
１１０上に、一面に形成した例を示している。図１３（Ｂ）は、図１３（Ａ）における点
線Ａ−Ｂの断面図である。
【０１９７】
なお、図１３（Ａ）では第１の表示部１５２に設けられた画素と、第３の電極１１２との
配置の状態を強調するため、また、図面が煩雑となるため第１の表示部１５２及び第２の
表示部の構造の一部は省略している。
【０１９８】
なお、図１３乃至図１５では、第１の表示部１５２をアクティブマトリクス型、第２の表
示部１５３をパッシブマトリクス型として構成した例を示しているが、この構成に限定さ
れず、第１の表示部１５２及び第２の表示部１５３は、パッシブマトリクス型としてもよ
いし、アクティブマトリクス型としてもよい。
【０１９９】
図１３乃至図１５において、光制御層１１８の光透過特性は、光制御層１１８を駆動させ
る第３の電極１１２及び第４の電極１１３に印加される電圧の大きさにより調整される。
従って、図１３の場合、ディスプレイ１０１のサイズに対応させて、光制御層１１８の光
透過特性を変化させることができる。
【０２００】
図１４（Ａ）、図１４（Ｃ）は、第１の表示部１５２と、第２の表示部１５３とを積層し
、上面から見た図である。第３の電極１１２の各々の電極を、画素領域１２０より大きな
サイズで、第３の基板１１０上に、形成した例を示している。図１４（Ｂ）は、図１４（
Ａ）における点線Ａ−Ｂの断面図である。図１４では、各々の電極のサイズ及び形状が等
しい例を示しているが、各々の電極のサイズ及び形状が、異なっていてもよい。また、図
１４（Ａ）に示すように、画素領域１２０の１個分より大きなサイズで、各々の電極を形
成してもよいし、図１４（Ｃ）に示すように、画素領域１２０の複数個分より大きなサイ
ズで、各々の電極を形成してもよい。いずれの場合においても各々の電極が画素領域１２
０より大きなサイズであれば特に限定されない。
【０２０１】
図１４の場合、画素領域１２０より大きなサイズの各々の電極を、表示装置１００を操作
するユーザーの意図に合わせて選択的に駆動させる事で、ディスプレイ１０１の光透過特
性を、少なくとも画素領域１２０より大きなサイズの任意の位置において調整することが
できる。
【０２０２】
図１５（Ａ）は、第１の表示部１５２と、第２の表示部１５３とを積層し、上面から見た
図である。第３の電極１１２の各々の電極を、画素領域１２０のサイズ及び形状に対応さ
せて、第３の基板１１０上に、形成した例を示している。図１５（Ｂ）は、図１５（Ａ）
における点線Ａ−Ｂの断面図である。図１５では、各々の電極のサイズ及び形状は、画素
領域１２０のサイズ及び形状と一致するため、全て等しくなる。
【０２０３】
図１５の場合、画素領域１２０と等しいサイズ及び形状の各々の電極を、表示装置１００
を操作するユーザーの意図に合わせて選択的に駆動させる事で、ディスプレイ１０１の光
透過特性を、画素領域１２０のサイズ及び形状と一致させて調整することができる。即ち
ディスプレイ１０１の第１の表示部１５２に表示される表示情報と完全に対応させて、第
２の表示部１５３の光透過特性を調整することも可能になる。
【０２０４】
上述のように、光制御層１１８を駆動させる第２の表示部１５３に設けられた第３の電極
１１２（又は第４の電極１１３）の形状及びサイズを変化させることで、選択的に光制御
層１１８の光透過特性を調整することが可能になる。第３の電極１１２（又は第４の電極
１１３）の各々の電極を画素領域１２０と等しいサイズ及び形状とした場合には、第１の
表示部１５２に表示される表示情報の画素を正確に抽出し、該画素と対応させて、第２の
表示部１５３の選択駆動電極を抽出できる。光制御層１１８の光透過特性を、表示装置１
００を操作するユーザーの意図に合わせて調整できるディスプレイ１０１を備えた表示装
置を実現できる。
【０２０５】
なお、本実施の形態は、本明細書で示す他の実施の形態と適宜組み合わせることができる
。
【０２０６】
（実施の形態５）
本実施の形態では、表示装置の変形例について図１６を用いて説明する。図１６に示す表
示装置は、第１の表示部と第２の表示部との間に、開閉可能なシャッターを設けることに
よって、光制御層の光透過特性を、選択的に制御する。
【０２０７】
図１６（Ａ）は、表示装置が備えるディスプレイ６３１の側面の模式図である。表示装置
が備えるディスプレイ６３１は、第１の表示部６３２と、第２の表示部６３３と、シャッ
ター６５０を有する。
【０２０８】
シャッター６５０の開閉動作によって、開口部の透過光を遮光するか否か、ユーザーは決
定できる。シャッター６５０が開く時、図１６（Ｂ）に示す移動遮光層６０２と開口部６
０４とは重畳しない。従って、開口部６０４を透過する光は遮断されない。シャッター６
５０が閉まる時、図１６（Ｂ）に示す移動遮光層６０２と開口部６０４とは重畳する。従
って、開口部６０４を透過する光は遮断される。
【０２０９】
従って、シャッター６５０を第１の表示部６３２と、第２の表示部６３３との間に設ける
事で、第１の表示部６３２の透過光を遮光するか否か、をユーザーは意図的に決定できる
。
【０２１０】
例えば、第２の表示部６３３と重畳する第１の表示部６３２の透過光を遮光したい場合、
ユーザーはシャッター６５０を閉じれば良い。また、第２の表示部６３３と重畳する第１
の表示部６３２の透過光を透過したい場合、ユーザーはシャッター６５０を開けば良い。
【０２１１】
なお、シャッター６５０を用いる時、第２の表示部６３３に含まれる電極の形状及びサイ
ズは特に限定されない。詳細については実施の形態１を参酌することができる。電極の形
状及びサイズはユーザーの要求に合わせて変化させることができる。
【０２１２】
第２の表示部６３３に含まれる光制御層の光透過特性の調整と、シャッター６５０の開閉
動作によって、ディスプレイ６３１のコントラストを決定することができる。
【０２１３】
図１６（Ｂ）は、シャッター６５０の構造の一例を示す斜視図である。シャッター６５０
はＭＥＭＳ（Ｍｉｃｒｏ  Ｅｌｅｃｔｒｏ  Ｍｅｃｈａｎｉｃａｌ  Ｓｙｓｔｅｍｓ）を
用いて形成することが好ましい。シャッター６５０は、アクチュエータ６１１に結合され
た移動遮光層６０２を有する。アクチュエータ６１１は開口部６０４を有する遮光層（図
面が煩雑となるため図示せず）上に設けられており、２つの柔軟性を有するアクチュエー
タ６１５を有する。移動遮光層６０２の一方の辺は、アクチュエータ６１５に接続されて
いる。アクチュエータ６１５は、移動遮光層６０２を、開口部６０４を有する遮光層表面
に平行な横方向に移動させる機能を有する。
【０２１４】
アクチュエータ６１５は、移動遮光層６０２及び構造体６１９に接続する可動電極６２１
と、構造体６２６に接続する可動電極６２５とを有する。可動電極６２５は、可動電極６
２１に隣接しており、可動電極６２５の一端は構造体６２６に接続し、他端は自由に動く
ことができる。また、可動電極６２５の自由に動くことが可能な端部は、可動電極６２１
及び構造体６１９の接続部で最も近くなるように、湾曲している。
【０２１５】
移動遮光層６０２の他方の辺は、アクチュエータ６１１によって及ぼされた力に対向する
復元力を有するスプリング６１７に接続されている。スプリング６１７は構造体６２７に
接続されている。
【０２１６】
構造体６１９、構造体６２６、構造体６２７は、開口部６０４を有する遮光層の表面の近
傍において、移動遮光層６０２、アクチュエータ６１５、及びスプリング６１７を、浮遊
させる機械的基板として機能する。
【０２１７】
シャッター６５０に含まれる構造体６２６は、図示しないトランジスタと接続する。構造
体６２６に接続される可動電極６２５に、トランジスタを介して任意の電圧を印加するこ
とができる。また、構造体６１９、構造体６２７は、それぞれ接地電極（ＧＮＤ）と接続
する。このため、構造体６１９に接続する可動電極６２１及び構造体６２７に接続するス
プリング６１７の電位は、ＧＮＤとなっている。なお、構造体６１９、構造体６２７は、
任意の電圧を印加できる共通電極に電気的に接続されてもよい。
【０２１８】
可動電極６２５に電圧が印加されると、可動電極６２５と可動電極６２１との間の電位差
により、可動電極６２１及び可動電極６２５が電気的に引き寄せあう。この結果、可動電
極６２１に接続する移動遮光層６０２が、構造体６２６の方へ引きよせられ、構造体６２
６の方へ横方向に移動する。可動電極６２１はスプリングとして働くため、可動電極６２
１と可動電極６２５との間の電位差が除去されると、可動電極６２１は、可動電極６２１
に蓄積された応力を解放しながら、移動遮光層６０２をその初期位置に押し戻す。なお、
可動電極６２１が可動電極６２５に引き寄せられている状態で、開口部６０４が移動遮光
層６０２に塞がれるように設定してもよいし、逆に開口部６０４上に移動遮光層６０２が
重ならないように設定してもよい。
【０２１９】
シャッター６５０の作製方法について、以下に説明する。開口部６０４を有する遮光層上
にフォトリソグラフィ工程により所定の形状を有する犠牲層を形成する。犠牲層としては
、ポリイミド、アクリル等の有機樹脂、酸化シリコン、窒化シリコン、酸化窒化シリコン
、窒化酸化シリコン等の無機絶縁膜等で形成することができる。
【０２２０】
次に、犠牲層上に印刷法、スパッタリング法、蒸着法等により遮光性を有する材料を形成
した後、選択的にエッチングをしてシャッター６５０を形成する。遮光性を有する材料と
しては例えば、クロム、モリブデン、ニッケル、チタン、銅、タングステン、タンタル、
ネオジム、アルミニウム、シリコンなどの金属、合金または酸化物などを用いることがで
きる。または、インクジェット法によりシャッター６５０を形成する。シャッター６５０
は、厚さ１００ｎｍ以上５μｍ以下で形成することが好ましい。
【０２２１】
次に、犠牲層を除去することで、空間において移動するシャッター６５０を形成すること
ができる。なお、この後、シャッター６５０の表面を酸素プラズマ、熱酸化等で酸化し、
酸化膜を形成することが好ましい。または、原子層蒸着法、ＣＶＤ法により、シャッター
６５０の表面に、アルミナ、酸化シリコン、窒化シリコン、酸化窒化シリコン、窒化酸化
シリコン、ＤＬＣ（ダイヤモンドライクカーボン）等の絶縁膜を形成することが好ましい
。当該絶縁膜をシャッター６５０に設けることで、シャッター６５０の経年劣化を低減す
ることができる。
【０２２２】
以上のような構成のシャッターを、本実施の形態の表示装置における第１の表示部と、第
２表示部との間に設けることにより、コントラストを向上させたディスプレイを備えた表
示装置を提供することができる。また、ユーザーの視認性を向上させたディスプレイを備
えた表示装置を提供することができる。
【０２２３】
以上、本実施の形態に示す構成などは、他の実施の形態に示す構成などと適宜組み合わせ
て用いることができる。
【０２２４】
（実施の形態６）
本実施の形態では、実施の形態５とは異なる、表示装置の変形例について図１７を用いて
説明する。
【０２２５】
本実施の形態における表示装置のディスプレイが備える第１の表示部は、外部光源を利用
している。従って図１７に示されるように、第１の表示部７３０は、少なくとも外部光源
７９１及び透過スクリーン７３２を備える。
【０２２６】
第２の表示部は、他の実施の形態と同様であるため、詳細については、他の実施の形態を
参酌することができる。
【０２２７】
なお、少なくとも透過スクリーン７３２は、一方の面に表示情報を表示し、他方の面に反
転された該表示情報を表示することができる。
【０２２８】
透過スクリーン７３２は、ビニール、アクリル、ガラス等で構成することができるが、高
い光透過率を有していれば、特にその種類は限定されない。アクリル、ガラスは平面性が
高く、温湿度や振動の影響を受けにくいため、より好ましい。
【０２２９】
透過スクリーン７３２として、表示情報が投射されていない時は鏡のようになるスクリー
ン、電源のオン、オフで透明と半透明を切り換えられるスクリーン、表面がタッチパネル
になっているスクリーン、投射した異なる表示情報が表裏両面で見られるスクリーンなど
を用いてもよい。いずれの場合においても、透過スクリーン７３２の光透過率は、高い事
が好ましい。
【０２３０】
外部光源７９１として、レーザ光源、ＬＥＤ光源、メタルハライド光源、ハロゲン光源、
キセノン光源、等が挙げられるが、特に限定されない。
【０２３１】
なお、図１７（Ａ）に示すように、外部光源７９１は、透過スクリーン７３２の前方（ユ
ーザーと同じ側）に設けられていても良いし、図１７（Ｂ）に示すように、透過スクリー
ン７３２の後方（ユーザーと逆側）に設けられていても良い。
【０２３２】
図１７（Ｃ）に、第１の表示部７３３の一例を示す。第１の表示部７３３には、レーザ投
射装置７００が用いられている。レーザ投射装置７００は、レーザ光源７０１、透過スク
リーン７３４、投射光学系７０５等により構成することができる。
【０２３３】
レーザ光源７０１は、青色光を発生するレーザ素子７０１ａと、赤色光を発生するレーザ
素子７０１ｂと、緑色光を発生するレーザ素子７０１ｃとを含む。
【０２３４】
投射光学系７０５は、屈曲素子７３１、波長板７３８、走査装置７０６、入射光学系７０
４等により構成することができる。
【０２３５】
投射光学系７０５は、レーザ光源７０１から発せられたレーザ光を利用して、透過スクリ
ーン７３４に表示情報を投射する。
【０２３６】
具体的には、走査装置７０６が、入射光学系７０４、波長板７３８、屈曲素子７３１を介
してレーザ光源７０１から発せられたレーザ光を走査し、該レーザ光を利用して透過スク
リーン７３４に表示情報を投射する。
【０２３７】
入射光学系７０４は、集光レンズ７０２ａ、７０２ｂ、７０２ｃと、色合成ミラー７０３
ａ、７０３ｂ、７０３ｃなどにより構成することができる。
【０２３８】
入射光学系７０４は、レーザ光源７０１（レーザ素子７０１ａ、７０１ｂ、７０１ｃ）か
ら発せられたレーザ光を、集光レンズ７０２ａ、７０２ｂ、７０２ｃによって独立に集光
し、色合成ミラー７０３ａ、７０３ｂ、７０３ｃによって、各レーザ光を同軸に合成する
。更に、入射光学系７０４は、波長板７３８及び屈曲素子７３１を介してレーザ光源７０
１から発せられたレーザ光を走査装置７０６へと伝送する。
【０２３９】
屈曲素子７３１は、偏光ビームスプリッタ、２つの反射ミラー、２つの波長板等により構
成することができるが該構成に限定されない。該構成の場合、各波長板は、偏光ビームス
プリッタと、各反射ミラーとの間に介在させ、偏光ビームスプリッタの反射面を透過した
光が反射ミラーによって、偏光ビームスプリッタに戻るように、各反射ミラーを配置する
。屈曲素子７３１は偏光ビームスプリッタの反射面から一方の反射ミラーまでの光路長と
、偏光ビームスプリッタの反射面から他方の反射ミラーまでの光路長とが互いに異なるよ
うに構成される。
【０２４０】
波長板７３８は、屈曲素子７３１の入射側に配置され、入射光学系７０４を介したレーザ
光の偏光方向を調整し、偏光方向を決定して、レーザ光の光学軸を揃える。該レーザ光は
、波長板７３８を射出し、屈曲素子７３１に入射する。
【０２４１】
なお屈曲素子７３１を射出した２つの偏光状態のレーザ光がずれないように各反射ミラー
の角度を調整することが好ましい。角度調整が不充分な場合、透過スクリーン７３４上に
表示される表示情報が２つに分離する、ぼける等の不具合が生じ、解像力を低下させるた
め好ましくない。
【０２４２】
なお、第１の表示部７３３は、レーザ投射装置に限られず、プロジェクタ等を用いてもよ
い。透過スクリーンの前方にユーザーが立ったり、他の物体が置かれたりしても、透過ス
クリーンに表示される表示情報が遮蔽されない投射法を用いることが好ましい。
【０２４３】
なお、本実施の形態に示すような第１の表示部において、透過スクリーンの後方にプロジ
ェクタや反射ミラー等を設置する空間が必要であるため、コントラストを向上させる為に
は透過スクリーン後方の空間を暗所にすることが好ましい。
【０２４４】
上述のような第１の表示部７３０及び第１の表示部７３３と、他の実施の形態で示した第
２の表示部とを有するディスプレイにおいて、第２の表示部における遮光部と重畳する第
１の表示部に表示されている表示情報は遮蔽される。従って、ディスプレイ前方に存在す
るユーザーは、該遮光部以外の領域に表示されている表示情報を認識することができ、遮
光部に表示されている表示情報を認識することができない。また、ディスプレイ後方に存
在するユーザーは、該遮光部以外の領域に表示されている反転された表示情報を認識する
ことができ、ディスプレイ前方に存在するユーザーと同様に遮光部に表示されている表示
情報を認識することができない。
【０２４５】
従って、ユーザーの意図に合わせて表示情報を遮蔽し、遮蔽された表示情報はディスプレ
イの前方からも後方からも認識不可能な表示状態を実現する表示装置を提供することがで
きる。また、ユーザーの意図に合わせて光透過特性を調整することが可能なディスプレイ
を備えた表示装置を提供することができる。
【０２４６】
なお、本実施の形態は、本明細書で示す他の実施の形態と適宜組み合わせることができる
。
【０２４７】
（実施の形態７）
本実施の形態では、実施の形態１とは異なる、表示装置の応用例について図１８を用いて
説明する。図１８に示す表示装置５００は、電圧により光透過特性の調整が可能なディス
プレイを備える。なお、本実施の形態に示す表示装置５００は、ディスプレイに表示され
ている表示情報の開示及び非開示を、ユーザーの意図に従って選択するために、該光透過
特性を調整する。
【０２４８】
開示する発明の一態様におけるディスプレイは、第１の表示部及び第２の表示部を備える
。第１の表示部が備える第１の表示素子は、一方の面に表示情報を表示し、他方の面に、
反転された該表示情報を表示することができる。また、第２の表示部が備える第２の表示
素子は、第１の表示部を透過する光を調整して、ディスプレイの光透過特性を調整するこ
とができる。
【０２４９】
開示する発明の一態様において、光制御層の光透過特性は、光制御層を駆動させる電極に
より調整される。該電極の形状及びサイズを変化させることで、選択的に光制御層の光透
過特性を調整することが可能になる。詳細については、実施の形態１を参酌することがで
きる。
【０２５０】
なお、図１８では、表示装置５００として、窓を利用しているが、ディスプレイを有する
各種表示装置に適用可能であることは言うまでもない。
【０２５１】
図１８は、開示する発明の一態様に係る表示装置５００の模式図である。図１８（Ａ）、
図１８（Ｃ）では、同一の表示装置５００を室内から見た場合を示し、図１８（Ｂ）、図
１８（Ｄ）では、同一の表示装置５００を室外から見た場合を示している。
【０２５２】
なお、図１８では、室内側には、１人のユーザー５０１が存在し、室外側には、複数のユ
ーザー５０２が存在するものとしているがユーザーの数は特に限定されない。
【０２５３】
また、図１８では、室内側に存在する１人のユーザー５０１の意図に従って情報の開示及
び非開示を選択する例について説明する。
【０２５４】
図１８（Ａ）及び図１８（Ｂ）における表示装置５００は、領域５０４と、領域５０５と
で光透過特性が異なる。なお、領域５０４と、領域５０５は、表示装置５００における第
２の表示部における領域を示すものとする。図１８（Ｃ）及び図１８（Ｄ）における表示
装置５００は、領域５０８と、領域５０９とで光透過特性が異なる。なお、領域５０８と
、領域５０９は、表示装置５００における第２の表示部における領域を示すものとする。
図１８では、一例として、領域５０４、領域５０９が透明、領域５０５、領域５０８が遮
光（薄い灰色）の場合を示している。
【０２５５】
図１８（Ａ）及び図１８（Ｂ）における領域５０５は、図１８（Ｃ）及び図１８（Ｄ）に
おける領域５０８より広い。
【０２５６】
領域５０５には、情報５０６と情報５０７とが含まれ、領域５０８には、情報５０７が含
まれる。情報５０６は、室内側に存在する１人のユーザー５０１にとって、室外側に存在
する複数のユーザー５０２に対して開示及び非開示を選択したい情報である。情報５０７
は、室内側に存在する１人のユーザー５０１にとって、室外側に存在する複数のユーザー
５０２に対して開示したくない情報である。
【０２５７】
図１８（Ａ）及び図１８（Ｂ）は、室内側に存在する１人のユーザー５０１が、室外側に
存在する複数のユーザー５０２に対して情報５０６を非開示にする場合を示し、図１８（
Ｃ）及び図１８（Ｄ）は、室内側に存在する１人のユーザー５０１が、室外側に存在する
複数のユーザー５０２に対して情報５０６を開示にする場合を示している。
【０２５８】
ユーザー５０１が情報５０６の非開示を選択するとき、図１８（Ａ）に示すように室内側
に存在する特定のユーザー５０１は、第２の表示部の領域５０５と重畳する第１の表示部
に表示されている”○△×”（黒色）、”１２３”（黒色）という表示情報を認識するこ
とができるが、図１８（Ｂ）に示すように室外側に存在する複数のユーザー５０２は、第
２の表示部の領域５０５と重畳する第１の表示部に表示されている”○△×”（黒色）、
”１２３”（黒色）という表示情報を認識することができない。
【０２５９】
ユーザー５０１が情報５０６の開示を選択するとき、図１８（Ｃ）に示すように室内側に
存在する特定のユーザー５０１は、第２の表示部の領域５０８と重畳する第１の表示部に
表示されている”１２３”（黒色）という表示情報を認識することができるが、図１８（
Ｄ）に示すように室外側に存在する複数のユーザー５０２は、第２の表示部の領域５０８
と重畳する第１の表示部に表示されている”１２３”（黒色）という表示情報を認識する
ことができない。また、室内側に存在する特定のユーザー５０１は、”○△×”（黒色）
という表示情報を認識することができる。室外側に存在する複数のユーザー５０２もまた
、”○△×”（黒色）という表示情報を認識することができるが該”○△×”という表示
情報は反転されている。
【０２６０】
上記より、室内側に存在する１人のユーザー５０１の意図に従って情報５０６（”○△×
”）の開示及び非開示を選択できることがわかる。
【０２６１】
なお、光透過特性を調整する領域を変化させずに、情報５０６（”○△×”）自体を、デ
ィスプレイの領域５０５、領域５０８以外の場所に、移動する事も可能である。また、表
示情報”○△×”を反転させたくない場合、ユーザーが表示装置５００内のＣＰＵ等に搭
載される操作入力部に対して何らかの操作を実行することにより、反転した表示情報”○
△×”を元に戻すことも可能である。
【０２６２】
本実施の形態に係る表示装置５００によれば、領域５０５、領域５０８のように光制御層
の光透過特性を調整する領域を変化させることで、ユーザーは、表示情報の開示及び非開
示を選択することができる。従って、表示情報の共有、非共有を状況に応じて変化させる
ことが可能なディスプレイを備えた表示装置を実現することができる。
【０２６３】
以上、本実施の形態に示す構成などは、他の実施の形態に示す構成などと適宜組み合わせ
て用いることができる。
【符号の説明】
【０２６４】
１００    表示装置
１０１    ディスプレイ
１０２    表示部
１０３    表示部
１０４    領域
１０５    領域
１０６    基板
１０７    基板
１０８    電極
１０９    電極
１１０    基板
１１１    基板
１１２    電極
１１２ａ    電極
１１２ｂ    電極
１１２ｃ    電極
１１３    電極
１１３ａ    電極
１１３ｂ    電極
１１３ｃ    電極
１１７    発光層
１１８    光制御層
１１８ａ    光制御層
１１８ｂ    光制御層
１１８ｃ    光制御層
１１８ｄ    光制御層
１１８ｅ    光制御層
１２０    画素領域
１５０    表示装置
１５１    画像信号
１５２    表示部
１５３    表示部
１５４    表示画像制御部
１５５    調光制御部
１５６    表示制御部
１５７    走査駆動部
１５８    データ駆動部
１５９    駆動電源供給部
１６０    共通電源供給部
１６１    表示情報識別部
１６２    アドレス信号生成部
１６３    調光パターン生成部
１７１    制御信号
１７２    制御信号
１７３    制御信号
１７４    制御信号
２００    ＰＥＴフィルム
２０１    透明導電層
２０２    ＳＰＤ素子
２０３    透明導電層
２０４    ＰＥＴフィルム
２０５    分散樹脂
２０６    偏光性粒子
２０７    液滴
２０８    媒体樹脂
２４０    領域
２５０    領域
２６０    表示装置
３００    ガラス基板
３０１    透明導電層
３０２    イオン蓄積層
３０３    イオン伝導体層
３０４    エレクトロクロミック層
３０５    透明導電層
３０６    ガラス基板
３０７    陰イオン
３０８    陽イオン
３０９    エレクトロクロミック素子
４００    ガラス基板
４０１    透明導電層
４０２    ＰＤＬＣ素子
４０３    透明導電層
４０４    ガラス基板
４０５    液晶分子
４０６    高分子分散型液晶層
５００    表示装置
５０１    ユーザー
５０２    ユーザー
５０４    領域
５０５    領域
５０６    情報
５０７    情報
５０８    領域
５０９    領域
６０２    移動遮光層
６０４    開口部
６１１    アクチュエータ
６１５    アクチュエータ
６１７    スプリング
６１９    構造体
６２１    可動電極
６２５    可動電極
６２６    構造体
６２７    構造体
６３１    ディスプレイ
６３２    表示部
６３３    表示部
６５０    シャッター
７００    レーザ投射装置
７０１    レーザ光源
７０１ａ    レーザ素子
７０１ｂ    レーザ素子
７０１ｃ    レーザ素子
７０２    集光レンズ
７０３    色合成ミラー
７０４    入射光学系
７０５    投射光学系
７０６    走査装置
７３０    表示部
７３１    屈曲素子
７３２    透過スクリーン
７３３    表示部
７３４    透過スクリーン
７３８    波長板
７９１    外部光源
８０１    基板
８０２    透明導電層
８０３    絶縁層
８０４    カラー油膜
８０５    反射膜
８０６    透明極性流体層
８０７    透明導電層
８０８    基板
８０９    エレクトロウェッティング素子
【図１】
2016191948.tif 000004
【図２】
2016191948.tif 000005
【図３】
2016191948.tif 000006
【図４】
2016191948.tif 000007
【図５】
2016191948.tif 000008
【図６】
2016191948.tif 000009
【図７】
2016191948.tif 000010
【図８】
2016191948.tif 000011
【図９】
2016191948.tif 000012
【図１０】
2016191948.tif 000013
【図１１】
2016191948.tif 000014
【図１２】
2016191948.tif 000015
【図１３】
2016191948.tif 000016
【図１４】
2016191948.tif 000017
【図１５】
2016191948.tif 000018
【図１６】
2016191948.tif 000019
【図１７】
2016191948.tif 000020
【図１８】
2016191948.tif 000021